(57)【要約】【課題】通気性の向上、及び襞の良好な外観の維持を両立しうるものとする。【解決手段】外側不織布層１２Ｓ及び内側不織布層１２Ｈの間に伸縮方向ＥＤに沿って延びる複数本の細長状の弾性部材１９を有し、外側不織布層１２Ｓは、厚み方向に貫通する孔１４が配列された有孔不織布であり、シート接合部７０は、少なくとも伸縮方向ＥＤに間隔を空けて設けられており、孔１４の配列は、シート接合部７０における伸縮方向ＥＤの中央部に設けられた孔１４が直交方向ＸＤに間隔を空けて並ぶ第１の孔列９１と、伸縮方向ＥＤにおける隣り合うシート接合部７０の間の中央部に設けられた孔１４が直交方向ＸＤに間隔を空けて並ぶ第２の孔列９２とが、伸縮方向ＥＤに間隔を空けて交互に繰り返すものであり、第１の孔列９１における孔１４の伸縮方向寸法９１Ｗが、第２の孔列９２における孔１４の伸縮方向寸法９２Ｗより長い、使い捨て着用物品の伸縮構造である。【選択図】図１１
2019170552.tif 000002
【特許請求の範囲】
【請求項１】
一部又は全部が重なり合う第１不織布層及び第２不織布層と、これら第１不織布層及び第２不織布層の間に伸縮方向と直交する直交方向に間隔を空けて配置された、伸縮方向に沿って延びる複数本の細長状の弾性部材とを有し、
前記弾性部材は、少なくとも伸縮領域における前記伸縮方向の両端部が前記第１不織布層及び第２不織布層に固定されており、
前記伸縮領域は、前記第１不織布層及び第２不織布層が接合されたシート接合部を有しており、
前記第１不織布層及び第２不織布層の少なくとも一方は、厚み方向に貫通する孔が配列された有孔不織布である、使い捨て着用物品の伸縮構造において、
前記シート接合部は、少なくとも前記伸縮方向に間隔を空けて設けられており、
前記伸縮構造における前記孔の配列は、前記シート接合部における前記伸縮方向の中央部に設けられた孔が前記直交方向に間隔を空けて並ぶ第１の孔列と、前記伸縮方向における隣り合う前記シート接合部の間の中央部に設けられた孔が前記直交方向に間隔を空けて並ぶ第２の孔列とが、伸縮方向に間隔を空けて交互に繰り返すものであり、
前記第１の孔列における前記孔の伸縮方向寸法が、前記第２の孔列における前記孔の伸縮方向寸法より長い、
ことを特徴とする使い捨て着用物品の伸縮構造。
【請求項２】
前記第１の孔列における前記孔の伸縮方向寸法は、前記第２の孔列における前記孔の伸縮方向寸法の１．５〜３．０倍であり、
前記第２の孔列は、隣り合う前記シート接合部の間に位置する、
請求項１記載の使い捨て着用物品の伸縮構造。
【請求項３】
前記伸縮構造における前記孔の配列は、前記直交方向に直線的に間隔を空けて並ぶ孔の列が前記伸縮方向に間隔を空けて繰り返す行列状であり、
前記第１の孔列では、前記シート接合部の前記伸縮方向の中心と、前記孔の前記伸縮方向の中心とが一致しており、
前記第１の孔列では、前記シート接合部の前記伸縮方向の寸法は、前記孔の前記伸縮方向の寸法の１．５〜２．０倍であり、
前記第１の孔列及び第２の孔列における前記孔の前記直交方向の間隔が、前記第１の孔列及び第２の孔列の前記伸縮方向の間隔の０．１〜１．０倍である、
請求項１又は２記載の使い捨て着用物品の伸縮構造。
【請求項４】
前記シート接合部の伸縮方向の寸法が０．５〜４ｍｍであり、
前記シート接合部の伸縮方向の間隔が２．５〜１０．０ｍｍであり、
前記第１の孔列及び第２の孔列における前記孔は、前記伸縮方向の寸法が０．３〜３．０ｍｍ、かつ前記直交方向の寸法が０．３〜５．０ｍｍであり、
前記第１の孔列及び前記第２の孔列における前記孔の前記直交方向の間隔が１．０〜５．０ｍｍであり、
前記第１の孔列及び前記第２の孔列の前記伸縮方向の間隔が２．５〜１０．０ｍｍであり、
前記直交方向における前記弾性部材の間隔が５〜１０ｍｍである、
請求項３記載の使い捨て着用物品の伸縮構造。
【請求項５】
前記シート接合部は、前記第１不織布層及び第２不織布層がホットメルト接着剤を介して接合されたものであり、
前記第１孔列には、孔と孔の縁部を対向する不織布に接着するシート接合部との組が、前記直交方向に間隔を空けて並んでおり、
前記有孔不織布における各孔の径は、対向する不織布層側と反対側から対向する不織布層側に向かうにつれて小さくなっている、
請求項１〜４のいずれか１項に記載の使い捨て着用物品の伸縮構造。
【請求項６】
前記シート接合部では、前記孔を取り囲み、かつ前記孔の縁部を含む環状部分のみが、前記ホットメルト接着剤を介して前記対向する不織布層と接着されている、
請求項５記載の使い捨て着用物品の伸縮構造。
【請求項７】
前記第１不織布層及び第２不織布層のうち、装着者の肌側となる不織布層が無孔不織布であり、反対の不織布層が前記有孔不織布である、
請求項１〜６のいずれか１項に記載の使い捨て着用物品の伸縮構造。
【請求項８】
前記第１不織布層及び第２不織布層の両方が前記有孔不織布であり、一方の有孔不織布の孔と、他方の有孔不織布の孔とが重ならない、
請求項１〜６のいずれか１項に記載の使い捨て着用物品の伸縮構造。
【請求項９】
前身頃から後身頃にわたる一体的な外装体、又は前身頃及び後身頃に別々に設けられた外装体と、この外装体の幅方向中間部に取り付けられた、股間部の前後両側にわたる内装体と、前身頃における外装体の両側部と後身頃における外装体の両側部とがそれぞれ接合されたサイドシール部と、ウエスト開口及び左右一対の脚開口とを備え、
前記前身頃及び後身頃の少なくとも一方における前記外装体は、少なくとも前後方向の一部の範囲における前記サイドシール部間に対応する幅方向範囲にわたり、請求項１〜８のいずれか１項に記載の伸縮構造を、その伸縮領域の伸縮方向が幅方向となるように備えている、
ことを特徴とするパンツタイプ使い捨て着用物品。
【発明の詳細な説明】
【技術分野】
【０００１】
本発明は、使い捨て着用物品の伸縮構造、及びこの伸縮構造を有するパンツタイプ使い捨て着用物品に関するものである。
【背景技術】
【０００２】
使い捨て着用物品においては、各部のフィット性を改善するために伸縮構造を設けることが一般的となっている。例えば、パンツタイプやテープタイプの使い捨ておむつにおいては、胴周り部に胴周り方向の伸縮構造を設けたり、脚周り部に脚周りに沿う方向の伸縮構造を設けたりすることが広く行われている。さらに、パンツタイプやテープタイプの使い捨ておむつはもちろん、生理用ナプキンを含めた使い捨て着用物品全般にわたり、立体ギャザーや平面ギャザーと呼ばれる前後方向の伸縮構造を設けることも広く行われている（例えば、特許文献１〜３参照）。
【０００３】
このような使い捨て着用物品の伸縮構造の代表的なものは、重なり合う第１不織布層及び第２不織布層の間に、伸縮方向に沿ってかつ互いに間隔を空けて設けられた細長状の弾性部材を備えるものである。第１不織布層及び第２不織布層は面状の伸縮領域を形成するとともに、弾性部材を被覆、隠蔽する役割を担い、第１不織布層及び第２不織布層間に内蔵される弾性部材は、弾性伸縮のための力を生み出す役割を担うものである。弾性部材は、伸縮方向に伸長された状態で、少なくとも伸縮領域の両端部に位置する部分が第１不織布層及び第２不織布層に固定される。この固定により、弾性部材と第１不織布層及び第２不織布層とが一体化され、第１不織布層及び第２不織布層は弾性部材の収縮力により収縮して襞（皺状のものも含む。以下、単に襞ともいう）が形成され、またこの収縮状態から弾性部材の収縮力に抗して伸長されると、襞が展開される。通常、第１不織布層及び第２不織布層は弾性伸長限界では襞が無い展開状態となり、弾性部材の収縮に伴って皺が寄り、自然長状態では最も密に皺が寄る。
【０００４】
このような伸縮構造では、第１不織布層及び第２不織布層が互いに自由であると、一方の不織布層が他方の不織布層に対して部分的又は全体的に浮いて不必要な皺や膨らみを生じるおそれがあるため、第１不織布層及び第２不織布層はそのほぼ全体にわたり直接的又は間接的に接合されている必要がある。以下、第１不織布層及び第２不織布層の接合部はシート接合部という。また、弾性部材により伸縮性を生み出すため、弾性部材は伸縮領域の伸縮方向の全体にわたり延在され、かつ少なくとも伸縮領域の伸縮方向の両端部に位置する部分は第１不織布層及び第２不織布層に対して固定され、自然長状態では弾性部材の収縮に伴い第１不織布層及び第２不織布層も収縮されている必要がある。つまり、第１不織布層及び第２不織布層間の接合と、第１不織布層及び第２不織布層に対する弾性部材の固定とが必要となるのである。
【０００５】
現在では、弾性部材を第１不織布層及び第２不織布層に固定する手段としては、ほとんどの場合、ホットメルト接着剤が選択されている。一方、第１不織布層及び第２不織布層間の接合は、ホットメルト接着剤の使用量を低減するために、超音波溶着等の溶着により行うことも多くなってきているが、ホットメルト接着剤も根強く利用されている。例えば、弾性部材の通過位置でホットメルト接着剤を介して第１不織布層及び第２不織布層を接合することにより、第１不織布層及び第２不織布層の接合と、第１不織布層及び第２不織布層に対する弾性部材の固定とを兼ねる兼用構造は広く採用されている。また、伸縮方向に間欠的に配された、伸縮方向と直交する方向（以下、単に直交方向ともいう）に連続するシート接合部で第１不織布層及び第２不織布層が接合された構造や、直交方向における弾性部材の間の位置で直交方向に間欠的に配された、伸縮方向に実質的に連続するシート接合部で第１不織布層及び第２不織布層が接合された構造が知られている。（特許文献１〜３参照）
【０００６】
他方、主に通気性を改善するために、第１不織布層及び第２不織布層に孔を設けることが提案されている（例えば特許文献４〜６参照）。
【０００７】
このうち、特許文献６記載のものは、伸縮方向及びこれと直交する方向に間隔を空けて行列状に配列された矩形状のシート接合部を厚み方向に加圧溶着することにより形成した後、このシート接合部に重ねて孔を形成するものである。この場合、伸縮方向におけるシート接合部の間の部分が互いに反対向きに膨らむことにより、直交方向に延びる襞が形成される。
【０００８】
特許文献６記載ものでは孔が襞の間の谷底にしか配置されないため、通気性を向上させるためには孔を大きくする必要がある。また、さらに通気性を向上させるためには、シート接合部以外の部位、例えば襞の頂部に孔を設ける必要がある。
【０００９】
他方、孔の形成方法は特に限定されるものではないが、打ち抜きにより孔を形成すると廃材が発生するため、ピンの突き刺しにより形成することが好ましい。
【００１０】
しかし、ピンの突き刺しにより孔を形成すると、ピンの挿入時に繊維が周囲に押し出されることにより、孔の縁が周囲よりも高密度になる。したがって、このような孔を襞の頂部に大きく形成すると、襞の頂部は、孔を有する部分ではより平坦に近く、低く、かつ伸縮方向の寸法が長い形状となり、孔を有しない部分ではより尖った形状に近く、高くかつ伸縮方向の寸法が短い形状となる。つまり、襞の頂部が凸凹になりやすく、平面形状も雲形形状になりやすい。かといって、孔を一律に小さくすると、通気性の向上は制限される。
【先行技術文献】
【特許文献】
【００１１】
【特許文献１】特開２００４−２２９８５７号公報
【特許文献２】特開２０１３−１３２３３１号公報
【特許文献３】特開２０１４−２０７９７３号公報
【特許文献４】特開２０１５−１０７２２３号公報
【特許文献５】特開２０１５−１２８５７３号公報
【特許文献６】特開２０１５−１９２８６２号公報
【特許文献７】特開２０１１−７８４７７号公報
【発明の概要】
【発明が解決しようとする課題】
【００１２】
そこで、本発明の主たる課題は、通気性の向上、及び襞の良好な外観の維持を両立しうる、使い捨て着用物品の伸縮構造を提供することにある。
【課題を解決するための手段】
【００１３】
上記課題を解決した使い捨て着用物品の伸縮構造等は次記のとおりである。
＜第１の態様＞
一部又は全部が重なり合う第１不織布層及び第２不織布層と、これら第１不織布層及び第２不織布層の間に伸縮方向と直交する直交方向に間隔を空けて配置された、伸縮方向に沿って延びる複数本の細長状の弾性部材とを有し、
前記弾性部材は、少なくとも伸縮領域における前記伸縮方向の両端部が前記第１不織布層及び第２不織布層に固定されており、
前記伸縮領域は、前記第１不織布層及び第２不織布層が接合されたシート接合部を有しており、
前記第１不織布層及び第２不織布層の少なくとも一方は、厚み方向に貫通する孔が配列された有孔不織布である、使い捨て着用物品の伸縮構造において、
前記シート接合部は、少なくとも前記伸縮方向に間隔を空けて設けられており、
前記伸縮構造における前記孔の配列は、前記シート接合部における前記伸縮方向の中央部に設けられた孔が前記直交方向に間隔を空けて並ぶ第１の孔列と、前記伸縮方向における隣り合う前記シート接合部の間の中央部に設けられた孔が前記直交方向に間隔を空けて並ぶ第２の孔列とが、伸縮方向に間隔を空けて交互に繰り返すものであり、
前記第１の孔列における前記孔の伸縮方向寸法が、前記第２の孔列における前記孔の伸縮方向寸法より長い、
ことを特徴とする使い捨て着用物品の伸縮構造。
【００１４】
（作用効果）
本伸縮構造では、シート接合部が、少なくとも伸縮方向間隔を空けて形成されているため、孔以外の部分における通気性、柔軟性も確保される。また、本伸縮構造では、伸縮方向におけるシート接合部の間の部分が互いに反対向きに膨らむことにより、直交方向に延びる襞が形成される。また、第１の孔列はシート接合部に位置し、第２の孔列は伸縮方向における隣り合うシート接合部の間の中央部に位置するため、第１の孔列の孔は襞の間の谷底に位置し、第２の孔列の孔は襞の頂部に位置することとなる。そして、本伸縮構造では、孔の寸法が一律になっておらず、第１の孔列における孔の伸縮方向寸法が、第２の孔列における孔の伸縮方向寸法より長いものとなっている。つまり、本伸縮構造は、第１の孔列及び第２の孔列の両方により通気性を向上させることを基本とするものである。ここで、第１の孔列は、その大きさが襞の頂部の形状にほとんど影響しないのに対し、第２の孔列はその大きさが襞の頂部の形状に強く影響する。本伸縮構造はこれを巧みに利用するものである。すなわち、第１の孔列の孔の伸縮方向寸法を第２の孔列の孔の伸縮方向寸法よりも大きくすることにより、全体としての通気性をより一層向上させつつ、その通気性向上の割には襞の外観は損なわれないものとすることができる。
【００１５】
なお、「伸縮構造における孔の配列」とは、第１不織布層及び第２不織布層におけるすべての孔を合わせた配列を意味する。よって、例えば第１不織布層及び第２不織布層のいずれか一方のみが有孔不織布の場合には、その有孔不織布における孔の配列に一致するが、第１不織布層及び第２不織布層の両方が有孔不織布の場合には、各不織布層の孔の配列が本態様の条件を満足しなくても、両不織布層のすべての孔を合わせた配列が本態様の条件を満足すればよい。
【００１６】
＜第２の態様＞
前記第１の孔列における前記孔の伸縮方向寸法は、前記第２の孔列における前記孔の伸縮方向寸法の１．５〜３．０倍であり、
前記第２の孔列は、隣り合う前記シート接合部の間に位置する、
第１の態様の使い捨て着用物品の伸縮構造。
【００１７】
（作用効果）
第１の孔列における孔の伸縮方向寸法、及び第２の孔列における孔の伸縮方向寸法は適宜定めることができるが、通常の場合、本態様の範囲内であることが好ましい。
【００１８】
＜第３の態様＞
前記伸縮構造における前記孔の配列は、前記直交方向に直線的に間隔を空けて並ぶ孔の列が前記伸縮方向に間隔を空けて繰り返す行列状であり、
前記第１の孔列では、前記シート接合部の前記伸縮方向の中心と、前記孔の前記伸縮方向の中心とが一致しており、
前記第１の孔列では、前記シート接合部の前記伸縮方向の寸法は、前記孔の前記伸縮方向の寸法の１．５〜２．０倍であり、
前記第１の孔列及び第２の孔列における前記孔の前記直交方向の間隔が、前記第１の孔列及び第２の孔列の前記伸縮方向の間隔の０．１〜１．０倍である、
第１又は２の態様の使い捨て着用物品の伸縮構造。
【００１９】
（作用効果）
本態様のように孔が直交方向に狭い間隔で直線的な列をなしており、かつシート接合部の両側縁が孔の両側近傍に位置していると、孔の列の方向に沿ってかつ孔を有する部分が谷底となるように折れやすくなるため、有孔不織布における襞が直交方向に沿ってより綺麗に形成されるようになる。
【００２０】
＜第４の態様＞
前記シート接合部の伸縮方向の寸法が０．５〜４ｍｍであり、
前記シート接合部の伸縮方向の間隔が２．５〜１０．０ｍｍであり、
前記第１の孔列及び第２の孔列における前記孔は、前記伸縮方向の寸法が０．３〜３．０ｍｍ、かつ前記直交方向の寸法が０．３〜５．０ｍｍであり、
前記第１の孔列及び前記第２の孔列における前記孔の前記直交方向の間隔が１．０〜５．０ｍｍであり、
前記第１の孔列及び前記第２の孔列の前記伸縮方向の間隔が２．５〜１０．０ｍｍであり、
前記直交方向における前記弾性部材の間隔が５〜１０ｍｍである、
第３の態様の使い捨て着用物品の伸縮構造。
【００２１】
（作用効果）
孔、シート接合部、弾性部材の配置は適宜定めることができるが、本態様の範囲内であることが好ましい。
【００２２】
＜第５の態様＞
前記シート接合部は、前記第１不織布層及び第２不織布層がホットメルト接着剤を介して接合されたものであり、
前記第１孔列には、孔と孔の縁部を対向する不織布に接着するシート接合部との組が、前記直交方向に間隔を空けて並んでおり、
前記有孔不織布における各孔の径は、対向する不織布層側と反対側から対向する不織布層側に向かうにつれて小さくなっている、
第１〜４のいずれか１つの態様の使い捨て着用物品の伸縮構造。
【００２３】
（作用効果）
また、本伸縮構造では、伸縮方向におけるシート接合部の間の部分が互いに反対向きに膨らむことにより、直交方向に延びる襞が形成される。シート接合部の直交方向の間隔部分は、第１不織布層及び第２不織布層ともに襞と襞との間の谷部となる。ここで、シート接合部が厚み方向に加圧溶着されていると、シート接合部の直交方向の間隔部分では、シート接合部の縁から不織布層の厚みが復元することにより互いに反対向きに膨らみやすくなる。そして、このようにシート接合部の直交方向の間隔部分が膨らみやすくなると、襞が枝分かれしたり、襞の山部が部分的に広くなったりする等、全体として整った襞が形成されにくい。この問題を発生しにくくするためには、シート接合部の直交方向の間隔を非常に狭くする必要があるが、シート接合部の直交方向の間隔部分に弾性部材を通す必要もあるため、製造が極めて困難となる。
【００２４】
これに対して、本伸縮構造のように、シート接合部がホットメルト接着剤により接着されていると、シート接合部とそれ以外の部分における圧縮の程度がほとんど変わらないため、加圧溶着の場合と比べて、シート接合部の直交方向の間隔部分が反対向きに膨らみにくい。
【００２５】
その上、本伸縮構造では、有孔不織布における各孔の径は、対向する不織布層側と反対側から対向する不織布層側に向かうにつれて小さくなっている。このように、孔の径が、対向する不織布層側と反対側から対向する不織布層側に向かうにつれて小さくなっていると、孔及びその近傍では、対向する不織布層と反対側の面が谷折りとなるように折れやすい。ここで、本伸縮構造では孔とシート接合部が同配置となるため、シート接合部の直交方向の間隔部分は、その両側に隣接する孔及びその近傍が谷折りになりやすい影響を受け、同じ方向に折れやすくなる。つまり、シート接合部の直交方向の間隔部分は反対向きに膨らみにくくなる。
【００２６】
そして、シート接合部の直交方向の間隔部分は反対向きに膨らみにくくなる結果、襞が枝分かれしたり、谷部が部分的に広くなったりしにくくなり、全体として、孔の列に沿って延びる整った襞が形成されやすくなる。換言すると、ある程度整った襞を形成する場合、シート接合部の直交方向の間隔部分を加圧溶着の場合よりも広くできるようになり、より柔軟な伸縮構造とすることが可能となる。しかも、シート接合部がホットメルト接着である場合、シート接合部と弾性部材とが交差しても問題がないため、製造も容易となる。
【００２７】
さらに、シート接合部が接着不十分等により剥離したとしても、孔及びその近傍では、対向する不織布層と反対側の面が谷折りとなるように折れやすいため、シート接合部の直交方向の間隔部分は反対向きに膨らみにくにくいという利点もある。
【００２８】
なお、孔の径は、孔の重心を通りかつ伸縮方向と直交する方向の寸法（したがって、円の場合は直径となり、楕円の場合は長径となる）を意味する。
【００２９】
＜第６の態様＞
前記シート接合部では、前記孔を取り囲み、かつ前記孔の縁部を含む環状部分のみが、前記ホットメルト接着剤を介して前記対向する不織布層と接着されている、
第５の態様の使い捨て着用物品の伸縮構造。
【００３０】
（作用効果）
このように、孔の近傍の環状部分のみをシート接合部とすることにより、通気性及び柔軟性により優れたものとなる。また、孔内にホットメルト接着剤がはみ出ているとしても、孔の中央部にはホットメルト接着剤は存在せず、また、孔を有する部分は襞の間の谷底に位置するため、ホットメルト接着剤は肌に触れにくいものとなる。
【００３１】
＜第７の態様＞
前記第１不織布層及び第２不織布層のうち、装着者の肌側となる不織布層が無孔不織布であり、反対の不織布層が前記有孔不織布である、
第１〜６のいずれか１つの態様の使い捨て着用物品の伸縮構造。
【００３２】
（作用効果）
肌側の不織布層を無孔不織布とすることにより、孔の肌触りへの影響を無くすことができる。また、第１不織布層及び第２不織布層のうち一方にしか孔がないため、装着時に肌が露出することがなく、孔を通じた漏れを防止することができる。
【００３３】
＜第８の態様＞
前記第１不織布層及び第２不織布層の両方が前記有孔不織布であり、一方の有孔不織布の孔と、他方の有孔不織布の孔とが重ならない、
第１〜６のいずれか１つの態様の使い捨て着用物品の伸縮構造。
【００３４】
（作用効果）
本態様では、両方の不織布層を有孔不織布とすることにより、より高い通気性を獲得することができる。また、一方の有孔不織布の孔と、他方の有孔不織布の孔とが重ならないため、装着時に肌が露出することがなく、孔を通じた漏れを防止することができる。
【００３５】
＜第９の態様＞
前身頃から後身頃にわたる一体的な外装体、又は前身頃及び後身頃に別々に設けられた外装体と、この外装体の幅方向中間部に取り付けられた、股間部の前後両側にわたる内装体と、前身頃における外装体の両側部と後身頃における外装体の両側部とがそれぞれ接合されたサイドシール部と、ウエスト開口及び左右一対の脚開口とを備え、
前記前身頃及び後身頃の少なくとも一方における前記外装体は、少なくとも前後方向の一部の範囲における前記サイドシール部間に対応する幅方向範囲にわたり、第１〜８のいずれか１つの態様の伸縮構造を、その伸縮領域の伸縮方向が幅方向となるように備えている、
ことを特徴とするパンツタイプ使い捨て着用物品。
【００３６】
（作用効果）
前述の伸縮構造は、パンツタイプの使い捨て着用物品の外装体に好適なものである。
【発明の効果】
【００３７】
本発明によれば、通気性の向上、及び襞の良好な外観の維持を両立しうるようになる、等の利点がもたらされる。
【図面の簡単な説明】
【００３８】
【図１】展開状態のパンツタイプ使い捨ておむつの内面を示す、平面図である。
【図２】展開状態のパンツタイプ使い捨ておむつの外面を示す、平面図である。
【図３】図１の２−２断面図である。
【図４】図１の３−３断面図である。
【図５】（ａ）図１の４−４断面図、及び（ｂ）図１の５−５断面図である。
【図６】パンツタイプ使い捨ておむつの斜視図（孔省略）である。
【図７】展開状態の内装体の外面を外装体の輪郭とともに示す、平面図である。
【図８】展開状態のパンツタイプ使い捨ておむつの外面を示す、平面図である。
【図９】（ａ）図８の４−４断面図、及び（ｂ）図８の５−５断面図である。
【図１０】孔の配列例を示す平面図である。
【図１１】展開状態の外装体の要部を拡大して示す平面図である。
【図１２】（ａ）図１１の６−６断面図、（ｂ）図１１の７−７断面図、（ｃ）収縮状態における孔及びシート接合部を有する部分の断面図、及び（ｄ）収縮状態におけるシート接合部の間の部分の断面図である。
【図１３】展開状態の外装体の要部を拡大して示す平面図である。
【図１４】（ａ）図１３の６−６断面図、（ｂ）図１３の７−７断面図、及び（ｃ）収縮状態における孔及びシート接合部を有する部分の断面図、及び（ｄ）収縮状態におけるシート接合部の間の部分の断面図である。
【図１５】（ａ）展開状態の前後方向断面図、（ｂ）展開状態の幅方向断面図、及び（ｃ）収縮状態における孔及びシート接合部を有する部分の断面図、及び（ｄ）収縮状態におけるシート接合部の間の部分の断面図である。
【図１６】シート接合部の拡大断面図である。
【図１７】展開状態の外装体の要部を拡大して示す平面図である。
【図１８】（ａ）自然長の状態の外装体の外面を示す正面図、（ｂ）自然長の状態の外装体の内面を示す正面図、（ｃ）ある程度伸長した状態の外装体の外面を示す正面図である。
【発明を実施するための形態】
【００３９】
以下、パンツタイプ使い捨ておむつの例について、添付図面を参照しつつ詳説する。断面図における点模様部分はその表側及び裏側に位置する各構成部材を接合する接合手段としての接着剤を示しており、ホットメルト接着剤のベタ、ビード、カーテン、サミット若しくはスパイラル塗布、又はパターンコート（凸版方式でのホットメルト接着剤の転写）などにより、あるいは弾性部材の固定部分はこれに代えて又はこれとともにコームガンやシュアラップ塗布などの弾性部材の外周面への塗布により形成されるものである。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００４０】
図１〜図６に示されるパンツタイプ使い捨ておむつは、前身頃Ｆを構成する前側外装体１２Ｆ及び後身頃Ｂを構成する後側外装体１２Ｂと、前側外装体１２Ｆから股間部を経て後側外装体１２Ｂまで延在するように外装体１２Ｆ，１２Ｂの内側に設けられた内装体２００とを備えている。前側外装体１２Ｆの両側部と後側外装体１２Ｂの両側部とが接合されて、サイドシール部１２Ａが形成されている。この結果、外装体１２Ｆ，１２Ｂの前後端部により形成される開口が装着者の胴を通すウエスト開口ＷＯとなり、内装体２００の幅方向両側において外装体１２Ｆ，１２Ｂの下縁及び内装体２００の側縁によりそれぞれ囲まれる部分が脚を通す脚開口ＬＯとなる。内装体２００は、尿等の排泄物等を吸収保持する部分であり、外装体１２Ｆ，１２Ｂは着用者の身体に対して内装体２００を支えるための部分である。図中の符号Ｙは展開状態におけるおむつの全長（前身頃Ｆのウエスト開口ＷＯの縁から後身頃Ｂのウエスト開口ＷＯの縁までの前後方向長さ）を示しており、符号Ｘは展開状態におけるおむつの全幅を示している。
【００４１】
また、本パンツタイプ使い捨ておむつは、サイドシール部１２Ａを有する前後方向範囲（ウエスト開口ＷＯから脚開口ＬＯの上端に至る前後方向範囲）として定まる胴周り領域Ｔと、脚開口ＬＯを形成する部分の前後方向範囲（前身頃Ｆのサイドシール部１２Ａを有する前後方向領域と後身頃Ｂのサイドシール部１２Ａを有する前後方向領域との間）として定まる中間領域Ｌとを有する。胴周り領域Ｔは、概念的にウエスト開口の縁部を形成する「ウエスト部」Ｗと、これよりも下側の部分である「ウエスト下方部」Ｕとに分けることができる。通常、胴周り領域Ｔ内に幅方向ＷＤの伸縮応力が変化する境界（例えば弾性部材の太さや伸長率が変化する）を有する場合は、最もウエスト開口ＷＯ側の境界よりもウエスト開口ＷＯ側がウエスト部Ｗとなり、このような境界が無い場合は吸収体５６又は内装体２００よりもウエスト開口ＷＯ側がウエスト部Ｗとなる。これらの前後方向長さは、製品のサイズによって異なり、適宜定めることができるが、一例を挙げると、ウエスト部Ｗは１５〜４０ｍｍ、ウエスト下方部Ｕは６５〜１２０ｍｍとすることができる。一方、中間領域Ｌの両側縁は被着者の脚周りに沿うようにコ字状又は曲線状に括れており、ここが装着者の脚を入れる部位となる。この結果、展開状態のパンツタイプ使い捨ておむつは、全体として略砂時計形状をなしている。
【００４２】
（内外接合部）
内装体２００の外装体１２Ｆ，１２Ｂに対する固定は、特に限定されず、例えばホットメルト接着剤により行うことができる。図示例では、内装体２００の裏面、つまりこの場合は液不透過性シート１１の裏面及び起き上がりギャザー６０の付根部分６５に塗布されたホットメルト接着剤を介して外装体１２Ｆ，１２Ｂの内面に対して固定されている。この内装体２００と外装体１２Ｆ，１２Ｂとを固定する内外接合部２０１は、両者が重なる領域のほぼ全体に設けることができ、例えば内装体２００の幅方向両端部を除いた部分に設けることもできる。
【００４３】
（内装体）
内装体２００は任意の形状を採ることができるが、図示の形態では長方形である。内装体２００は、図３〜図５に示されるように、身体側となるトップシート３０と、液不透過性シート１１と、これらの間に介在された吸収要素５０とを備えているものであり、吸収機能を担う本体部である。符号４０は、トップシート３０を透過した液を速やかに吸収要素５０へ移行させるために、トップシート３０と吸収要素５０との間に設けられた中間シート（セカンドシート）を示しており、符号６０は、内装体２００の両脇に排泄物が漏れるのを防止するために、内装体２００の両側部から装着者の脚周りに接するように延び出た起き上がりギャザー６０を示している。
【００４４】
（トップシート）
トップシート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００４５】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００４６】
トップシート３０の両側部は、吸収要素５０の側縁で裏側に折り返しても良く、また折り返さずに吸収要素５０の側縁より側方にはみ出させても良い。
【００４７】
トップシート３０は、裏側の部材に対する位置ずれを防止する等の目的で、ヒートシール、超音波シールのような素材溶着による接合手段や、ホットメルト接着剤により裏側に隣接する部材に固定することが望ましい。図示例では、トップシート３０はその裏面に塗布されたホットメルト接着剤により中間シート４０の表面及び包装シート５８のうち吸収体５６の表側に位置する部分の表面に固定されている。
【００４８】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、トップシート３０上を常に乾燥した状態とすることができる。中間シート４０は省略することもできる。
【００４９】
中間シート４０としては、トップシート３０と同様の素材や、スパンレース不織布、スパンボンド不織布、ＳＭＳ不織布、パルプ不織布、パルプとレーヨンとの混合シート、ポイントボンド不織布又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００５０】
図示の形態の中間シート４０は、吸収体５６の幅より短く中央に配置されているが、全幅にわたって設けてもよい。中間シート４０の長手方向長さは、おむつの全長と同一でもよいし、吸収要素５０の長さと同一でもよいし、液を受け入れる領域を中心にした短い長さ範囲内であってもよい。
【００５１】
中間シート４０は、裏側の部材に対する位置ずれを防止する等の目的で、ヒートシール、超音波シールのような素材溶着による接合手段や、ホットメルト接着剤により裏側に隣接する部材に固定することが望ましい。図示例では、中間シート４０はその裏面に塗布されたホットメルト接着剤により包装シート５８のうち吸収体５６の表側に位置する部分の表面に固定されている。
【００５２】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、ムレ防止の観点から好まれて使用されている液不透過性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。この他にも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに液不透過性としたシートも、液不透過性シート１１として用いることができる。
【００５３】
液不透過性シート１１は、図示のように吸収要素５０の裏側に収まる幅とする他、防漏性を高めるために、吸収要素５０の両側を回り込ませて吸収要素５０のトップシート３０側面の両側部まで延在させることもできる。この延在部の幅は、左右それぞれ５〜２０ｍｍ程度が適当である。
【００５４】
（起き上がりギャザー）
起き上がりギャザー６０は、横漏れを防止するためのものであり、内装体２００の両側部に沿って前後方向ＬＤの全体にわたり延在し、内装体２００の側部から表側に起立するものである。図示例の起き上がりギャザー６０は、付け根側部分が幅方向中央側に向かって斜めに起立し、中間部より先端側部分が幅方向外側に向かって斜めに起立するものであるが、これに限定されるものではなく、全体として幅方向中央側に起立する形態等、適宜の変更が可能である。
【００５５】
より詳細に説明すると、図示例の起き上がりギャザー６０は、内装体２００の前後方向長さに等しい長さを有する帯状のギャザー不織布６２を、先端となる部分で幅方向ＷＤに折り返して二つに折り重ねるとともに、折り返し部分及びその近傍のシート間に、細長状のギャザー弾性部材６３を長手方向に沿って伸長状態で、幅方向ＷＤに間隔を空けて複数本固定してなるものである。起き上がりギャザー６０のうち先端部と反対側に位置する基端部（幅方向ＷＤにおいてシート折り返し部分と反対側の端部）は、内装体２００における液不透過性シート１１より裏側の側部に固定された付根部分６５とされ、この付根部分６５以外の部分は付根部分６５から延び出る本体部分６６（折り返し部分側の部分）とされている。また、本体部分６６は、幅方向中央側に延びる付け根側部分と、この付け根側部分の先端で折り返され、幅方向外側に延びる先端側部分とを有している。この形態は面接触タイプの起き上がりギャザー６０であるが、幅方向外側に折り返されない線接触タイプの起き上がりギャザー６０も採用することができる。そして、本体部分６６のうち前後方向両端部が倒伏状態でトップシート３０の側部表面に対して固定された倒伏部分６７とされる一方で、これらの間に位置する前後方向中間部は非固定の自由部分６８とされ、この自由部分６８の少なくとも先端部に前後方向ＬＤに沿うギャザー弾性部材６３が伸長状態で固定されている。
【００５６】
以上のように構成された起き上がりギャザー６０では、ギャザー弾性部材６３の収縮力が前後方向両端部を近づけるように作用するが、本体部分６６のうち前後方向両端部が起立しないように固定されるのに対して、それらの間は非固定の自由部分６８とされているため、自由部分６８のみが図３に矢印で示すように身体側に当接するように起立する。特に、付根部分６５が内装体２００の裏側に位置していると、股間部及びその近傍において自由部分６８が幅方向外側に開くように起立するため、起き上がりギャザー６０が脚周りに面で当接するようになり、フィット性が向上するようになる。
【００５７】
（吸収要素）
吸収要素５０は特に限定されるものではないが、本例では吸収体５６と、この吸収体５６の全体を包む包装シート５８とを有するものとなっている。包装シート５８は省略することもできる。
【００５８】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。吸収体５６中には高吸収性ポリマー粒子を分散保持させるのが好ましい。
【００５９】
吸収体５６は長方形形状でも良いが、図７にも示すように、前端部、後端部及びこれらの間に位置し、前端部及び後端部と比べて幅が狭い括れ部５６Ｎとを有する砂時計形状を成していると、吸収体５６自体と起き上がりギャザー６０の、脚周りへのフィット性が向上するため好ましい。
【００６０】
また、吸収体５６の寸法は排尿口位置の前後左右にわたる限り適宜定めることができるが、前後方向ＬＤ及び幅方向ＷＤにおいて、内装体２００の周縁部又はその近傍まで延在しているのが好ましい。なお、符号５６Ｘは吸収体５６の幅を示している。
【００６１】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の使い捨ておむつに使用されるものをそのまま使用できる。
【００６２】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００６３】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００６４】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００６５】
高吸収性ポリマー粒子の目付け量は、当該吸収体５６の用途で要求される吸収量に応じて適宜定めることができる。したがって一概には言えないが、５０〜３５０ｇ／ｍ2とすることができる。
【００６６】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００６７】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後からはみ出させ、巻き重なる部分及び前後はみ出し部分の重なり部分をホットメルト接着剤、素材溶着等の接合手段により接合する形態が好ましい。
【００６８】
（外装体）
外装体１２Ｆ，１２Ｂは、前身頃Ｆを構成する部分である前側外装体１２Ｆと、後身頃Ｂを構成する部分である後側外装体１２Ｂとからなり、前側外装体１２Ｆ及び後側外装体１２Ｂは股間側で連続しておらず、前後方向ＬＤに離間されている（外装二分割タイプ）。この離間距離１２ｄは例えば全長Ｙの４０〜６０％程度とすることができる。また、図８及び図９に示すように、外装体１２が、前身頃Ｆから後身頃Ｂにかけて股間を通り連続する一体的なものとすることもできる（外装一体タイプ）。
【００６９】
外装二分割タイプのパンツタイプ使い捨ておむつでは、前側外装体１２Ｆ及び後側外装体１２Ｂとの間に内装体２００が露出するため、内装体２００の裏面に液不透過性シート１１が露出しないように、前側外装体１２Ｆと内装体２００との間から、後側外装体１２Ｂと内装体２００との間にかけて、内装体２００の裏面を覆うカバー不織布２０を備えていると好ましい。カバー不織布２０の素材は特に限定されず、例えば外装体１２の外側不織布層１２Ｓ又は内側不織布層１２Ｈと同様の素材（後述する有孔不織布層でも、無孔不織布層でもよい）とすることができる。カバー不織布２０の前後方向範囲は、前側外装体１２Ｆ及び後側外装体１２Ｂに重なる部分を有している限り特に限定されず、内装体２００の前端から後端までの全体にわたり前後方向ＬＤに延在していてもよく、図７に示すように、前側外装体１２Ｆと内装体２００とが重なる領域の前後方向中間位置から後側外装体１２Ｂと内装体２００とが重なる領域の前後方向中間位置まで前後方向ＬＤに延在していてもよい。
【００７０】
外装体１２Ｆ，１２Ｂは、胴周り領域Ｔと対応する前後方向範囲である胴周り部を有する。また、本形態では、前側外装体１２Ｆには中間領域Ｌと対応する部分を有していないが、後側外装体１２Ｂは胴周り領域Ｔから中間領域Ｌ側に延び出る臀部カバー部Ｃを有している。図示しないが、前側外装体１２Ｆにも胴周り領域Ｔから中間領域Ｌ側に延び出る鼠蹊カバー部を設けたり、鼠径カバー部は設けるものの臀部カバー部は設けない形態としたり、前側外装体１２Ｆ及び後側外装体１２Ｂの両方に中間領域Ｌと対応する部分を設けなくても良い。また、図示例では、臀部カバー部Ｃの下縁は、前側外装体１２Ｆの下縁と同様、幅方向ＷＤに沿う直線状に形成しているが、幅方向外側に向かうにつれてウエスト開口側に位置するようになる曲線とすることもできる。
【００７１】
外装体１２Ｆ，１２Ｂは、図２〜図５に示されるように、外側不織布層１２Ｓ及び内側不織布層１２Ｈにより表裏が形成されている。いうまでもないが、外側不織布層１２Ｓ及び内側不織布層１２Ｈのいずれか一方が本発明の第１不織布層に相当し、他方が本発明の第２不織布層に相当する、外側不織布層１２Ｓ及び内側不織布層１２Ｈは、図５に示すように、一枚のシート材をウエスト開口側に折目が位置するように折り畳んで形成する他、図９に示すように、二枚のシート材を貼り合わせて形成することもできる。また、これらシート材のうち最も内側に位置する部分１２ｒを内装体２００のウエスト開口ＷＯ側の端部まで延在させることもできる（図９例を参照）。また、外側不織布層１２Ｓ及び内側不織布層１２Ｈの少なくとも一方は、その一部が他の部分と異なるシート材により形成されていても良い。
【００７２】
外側不織布層１２Ｓ及び内側不織布層１２Ｈの構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布層１２Ｓ，１２Ｈの柔軟性を高めるために、構成繊維を捲縮繊維とするのは好ましい。また、外側不織布層１２Ｓ及び内側不織布層１２Ｈの構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も、外側不織布層１２Ｓ及び内側不織布層１２Ｈとして用いることができる。
【００７３】
外側不織布層１２Ｓ及び内側不織布層１２Ｈの構成繊維の繊度及び目付けは適宜定めることができるが、通常の場合、それぞれ１．８〜６．０ｄｔｅｘ程度、１０〜３０ｇ／ｍ2程度であると好ましい。
【００７４】
（有孔不織布について）
図２、図８、図１１及び図１２に示すように、外側不織布層１２Ｓ及び内側不織布層１２Ｈの少なくとも一方は、厚み方向に貫通する孔１４が散在する有孔不織布とされる。図１１及び図１２に示すように、装着者の肌側となる内側不織布層１２Ｈが無孔不織布であり、外側不織布層１２Ｓが有孔不織布であると、孔１４の肌触りへの影響を無くすことができる。また、外側不織布層１２Ｓ及び内側不織布層１２Ｈのうち一方にしか孔１４がないため、装着時に肌が露出することがなく、孔１４を通じた漏れを防止することができる。図示しないが、装着者の肌側となる内側不織布層１２Ｈを有孔不織布とし、外側不織布層１２Ｓを無孔不織布としてもよい。図１３及び図１４に示すように、外側不織布層１２Ｓ及び内側不織布層１２Ｈの両方が有孔不織布であり、一方の有孔不織布の孔１４と、他方の有孔不織布の孔１４とが重ならない構造であるのも好ましい。この場合、外側不織布層１２Ｓ及び内側不織布層１２Ｈの両方を有孔不織布とすることにより、より高い通気性を獲得することができる。また、一方の有孔不織布の孔１４と、他方の有孔不織布の孔１４とが重ならないため、装着時に肌が露出することがなく、孔１４を通じた漏れを防止することができる。図１５に示すように、外側不織布層１２Ｓ及び内側不織布層１２Ｈの両方が有孔不織布であり、一方の有孔不織布の孔１４と、他方の有孔不織布の孔１４とが完全に又は部分的に重なっていてもよい。また、図示しないが、外側不織布層１２Ｓ及び内側不織布層１２Ｈの両方が有孔不織布である場合において、大部分（例えば５０％以上の面積）では、一方の有孔不織布の孔１４と他方の有孔不織布の孔１４とが重ならないものの、一部では、一方の有孔不織布の孔１４と他方の有孔不織布の孔１４とが重なっていてもよい。
【００７５】
個々の孔１４の平面形状（開口形状）は、適宜定めることができる。孔１４は、図１０（ａ）（ｂ）に示すような長孔形とするほか、図１０（ｅ）に示すような真円形、図１０（ｄ）に示すような楕円形、三角形、長方形、ひし形等の多角形、星形、雲形等、任意の形状とすることができる。図１０（ｃ）に示すように異なる形状の孔が混在していてもよい。個々の孔１４の寸法は特に限定されないが、直交方向ＸＤの寸法（最も長い部分の寸法）１４Ｌは０．３〜５．０ｍｍ、特に０．６〜２．０ｍｍとするのが好ましく、幅方向ＷＤの寸法（最も長い部分の寸法）１４Ｗは０．３〜３．０ｍｍ、特に０．４〜１．５ｍｍとするのが好ましい。孔１４の形状が、長孔形、楕円形、長方形、ひし形等のように一方向に長い形状（一方向の全長がこれと直交する方向の全長よりも長い形状）の場合、長手方向の寸法（最も長い部分の寸法）はこれと直交する方向の寸法（最も長い部分の寸法）の１．２〜２．５倍であることが好ましい。また、孔１４の形状が一方向に長い形状の場合、孔１４の長手方向が前後方向ＬＤであることが望ましいが、幅方向ＷＤや斜め方向であってもよい。
【００７６】
個々の孔１４の面積及び面積率は適宜定めればよいが、面積は０．１〜２．７ｍｍ2（特に０．１〜１．０ｍｍ2）程度であることが好ましく、面積率は１．０〜１５．０％（特に５．０〜１０．０％）程度であることが好ましい。
【００７７】
一枚の有孔不織布における孔１４の平面配列は特に限定されるものではない。よって、例えば、図示しないが、外側不織布層１２Ｓ及び内側不織布層１２Ｈの両方が有孔不織布である場合において、外側不織布層１２Ｓ及び内側不織布層１２Ｈは孔１４の寸法、形状及び配列の少なくとも一つが異なっていてもよい。
【００７８】
一方、外側不織布層１２Ｓ及び内側不織布層１２Ｈにおけるすべての孔１４を合わせた（つまりすべての孔１４を平面投影したときの）孔１４の平面配列は、後述するシート接合部７０における伸縮方向ＥＤの中央部に設けられた孔１４が直交方向ＸＤに間隔を空けて並ぶ第１の孔列９１と、伸縮方向ＥＤにおける隣り合うシート接合部７０の間の中央部に設けられた孔１４が直交方向ＸＤに間隔を空けて並ぶ第２の孔列９２とが、伸縮方向ＥＤに間隔を空けて交互に繰り返すものである限り適宜定めることができる。例えば、図１０（ａ）（ｃ）（ｄ）に示すように、すべての孔１４の配列は、直交方向ＸＤに所定の間隔で直線的に間隔を空けて並ぶ孔１４の列が伸縮方向ＥＤに所定の間隔を空けて繰り返す行列状であると好ましい。この場合、図１０（ａ）に示すように、第１の孔列９１と第２の孔列９２との伸縮方向ＥＤの間隔１４ｘが、第１の孔列９１における孔１４の直交方向ＸＤの間隔９１ｙよりも短い配列とする他、図１０（ｃ）に示すように、第１の孔列９１と第２の孔列９２との伸縮方向ＥＤの間隔１４ｘと、第１の孔列９１における孔１４の直交方向ＸＤとの間隔９１ｙがほぼ等しい配列、又は図１０（ｄ）に示すように、第１の孔列９１と第２の孔列９２との伸縮方向ＥＤの間隔１４ｘが、第１の孔列９１における孔１４の直交方向ＸＤの間隔９１ｙよりも長い配列とすることができる。また、図１０（ｂ）（ｅ）に示すように、第１の孔列９１における直交方向ＸＤの孔１４の位置と、第２の孔列９２における直交方向ＸＤの孔１４の位置とはずれていてもよい。また、図１０（ｆ）に示すように、隣り合う孔列９１，９２の間が直交方向ＸＤに連続する部分を有する限り、孔１４が直交方向に沿う中心線を有する波線状に並ぶものも、伸縮方向ＥＤと直交する方向に間隔を空けて並ぶ孔１４の列が、伸縮方向ＥＤに間隔を空けて並ぶものに含まれる。
【００７９】
第１の孔列９１における孔１４の直交方向間隔９１ｙ及び第１の孔列９１と第２の孔列９２との伸縮方向間隔１４ｘはそれぞれ一定であっても、変化してもよい。これらは適宜定めることができるが、通気性を考慮すると、第１の孔列９１における孔１４の直交方向間隔９１ｙは０．９〜８．０ｍｍ、特に１．０〜３．０ｍｍの範囲内とすることが望ましく、第１の孔列９１と第２の孔列９２との伸縮方向間隔１４ｘは２．０〜８．０ｍｍ、特に２．０〜５．０ｍｍの範囲内とすることが望ましい。また、第２の孔列９２における孔１４の直交方向間隔９２ｙは、第１の孔列９１における孔１４の直交方向間隔９１ｙの１．０〜３．０倍であることが望ましい。
【００８０】
孔１４の断面形状は特に限定されない。例えば、孔１４は、周縁が繊維の切断端により形成されている打ち抜きタイプの孔であっても、孔１４の周縁に繊維の切断端がほとんど無く、ピンが繊維間に挿入されて押し広げられて形成された非打ち抜きタイプの孔（縁部の繊維密度が高い）であってもよい。打ち抜きタイプの孔は、図１６（ｄ）に示すように、孔１４の径が厚み方向中間に向かうにつれて小さくなるものであっても、図示しないが厚み方向一方側に向かうにつれて小さくなるものであってもよい。
【００８１】
非打ち抜きタイプの孔１４は、孔１４の径がピン挿入側から反対側に向かうにつれて小さくなるものである。これには、孔１４の径が不織布層の厚み方向の全体にわたり減少し続けるもののほか、厚み方向の中間で孔１４の径の減少がほぼなくなるものも含まれる。このような非打ち抜きタイプの孔には、図１６（ａ）（ｃ）に示すように、ピン挿入側と反対側における孔１４の縁部に繊維がピン挿入側と反対側に押し出された突出部（バリ）１４ｅが形成され、ピン挿入側には突出部１４ｅが形成されないものと、図１６（ｂ）に示すように、ピン挿入側と反対側における孔１４の縁部に繊維がピン挿入側と反対側に押し出された突出部１４ｅが形成されるとともに、ピン挿入側には繊維がピン挿入側に押し出されて形成された突出部１４ｅが形成されるものとが含まれる。さらに、前者のタイプの孔１４には、図１６（ａ）に示すように突出部１４ｅの突出高さ１４ｈがほぼ均一であるものと、図１６（ｃ）に示すように突出部１４ｅが、突出高さ１４ｉが最も高い対向部分と、これと直交する方向に対向する対向部分であって突出高さ１４ｊが最も低い対向部分とを有するものとが含まれる。突出部１４ｅは孔の周方向に連続して筒状になっていることが望ましいが、一部又は全部の孔１４の突出部１４ｅが、孔１４の周方向の一部のみに形成されていてもよい。突出高さ１４ｈ，１４ｉ，１４ｊ（光学顕微鏡を用いて測定される圧力を加えない状態での見かけの高さ）は０．２〜１．２ｍｍ程度であることが好ましい。また、突出部１４ｅにおける、最も高い突出高さ１４ｉは、最も低い突出高さ１４ｊの１．１〜１．４倍程度であることが好ましい。突出部１４ｅの突出高さは孔１４の周方向に変化してもよい。
【００８２】
例えば、図１０（ａ）（ｂ）（ｄ）に示す例のような一方向に長い形状の孔１４をピンの挿入により形成すると、孔１４の縁部の繊維が外側又は垂直方向に退けられ、孔１４の長手方向の対向部分の突出高さｉが、長手方向と直交する方向の対向部分の突出高さｊよりも高い突出部（バリ）１４ｅが形成される。孔１４の突出部１４ｅは、繊維密度がその周囲の部分と比べて低くなっていてもよいが、同程度又は高くなっているのが好ましい。
【００８３】
有孔不織布の構成繊維の繊度、目付け及び厚みは適宜定めることができるが、通常の場合、それぞれ１．８〜６．０ｄｔｅｘ程度、１５〜２５ｇ／ｍ2程度、０．１〜１．３ｍｍ程度であると好ましい。また、有孔不織布のＭＤ方向（幅方向）の剛軟度は、穿孔加工前の無孔の状態で３５〜１００ｍｍ、特に４０〜７０ｍｍであると好ましく、穿孔加工後の状態では１０〜５０ｍｍ、特に１５〜４０ｍｍであると好ましい。
【００８４】
（伸縮領域）
外装体１２Ｆ，１２Ｂには、外側不織布層１２Ｓ及び内側不織布層１２Ｈ間に細長状の弾性部材１９が設けられ、弾性部材１９の伸縮に伴って幅方向ＷＤに弾性伸縮する伸縮領域Ａ２が形成されている。すなわち、この伸縮領域Ａ２は、自然長の状態では外側不織布層１２Ｓ及び内側不織布層１２Ｈが弾性部材の収縮に伴って収縮し、多数の襞を有する状態となる。また、この伸縮領域Ａ２を幅方向ＷＤに伸長すると、外側不織布層１２Ｓ及び内側不織布層１２Ｈが襞なく伸び切る所定の伸長率まで伸長する。弾性部材１９としては、細長状のものであれば、糸状、紐状、帯状を問わず用いることができる。また、弾性部材１９としては合成ゴムを用いても、天然ゴムを用いても良い。
【００８５】
図１１及び図１３に示すように、弾性部材１９は、少なくとも伸縮領域Ａ２における伸縮方向ＥＤの両端部が外側不織布層１２Ｓ及び内側不織布層１２Ｈに固定される。弾性部材１９の固定手段は特に限定されないが、ホットメルト接着剤１９Ｈを用いることが好ましい。一つの好ましい形態は、図１１に示すように、コームガンやシュアラップノズル等の塗布手段により、弾性部材１９における伸縮方向ＥＤの両端部の外周面にホットメルト接着剤１９Ｈを間欠的に塗布した後、この弾性部材１９を外側不織布層１２Ｓ及び内側不織布層１２Ｈ間に挟むものである。この場合、弾性部材１９は、その配置部位で、伸縮領域における伸縮方向ＥＤの両端部のみが外側不織布層１２Ｓ及び内側不織布層１２Ｈにホットメルト接着剤１９Ｈを介して固定される。より簡単な形態は、図示しないが、コームガンやシュアラップノズル等の塗布手段により弾性部材１９の外周面にホットメルト接着剤を連続的に塗布した後、この弾性部材１９を外側不織布層１２Ｓ及び内側不織布層１２Ｈ間に挟むものである。この場合、弾性部材１９は、その配置部位で、伸縮領域における伸縮方向ＥＤの両端部はもちろん、その長手方向全体が外側不織布層１２Ｓ及び内側不織布層１２Ｈに固定される。他の形態としては、図１３に示すように、外側不織布層１２Ｓ及び内側不織布層１２Ｈの少なくとも一方の対向面における、弾性部材１９の伸縮方向ＥＤの両端部の配置位置にホットメルト接着剤１９Ｈを塗布した後、外側不織布層１２Ｓ及び内側不織布層１２Ｈの間に弾性部材を挟むこともできる。この場合、ホットメルト接着剤１９Ｈは、図示例のように直交方向ＸＤに連続していてもよいし、図示しないが直交方向ＸＤに間欠的に配置されていてもよい。さらに、これらの場合、ホットメルト接着剤１９Ｈの連続部分は図示例のように複数本の弾性部材にわたっていてもよい。
【００８６】
図示例のようなパンツタイプ使い捨ておむつの場合、弾性部材１９、すなわち伸縮領域は以下の部位に設けることが望ましい。すなわち、外装体１２Ｆ，１２Ｂのウエスト部Ｗにおける外側不織布層１２Ｓ及び内側不織布層１２Ｈ間には、幅方向ＷＤの全体にわたり連続するように、複数のウエスト部弾性部材１７が前後方向に間隔を空けて取り付けられている。また、ウエスト部弾性部材１７のうち、ウエスト下方部Ｕに隣接する領域に配設される１本又は複数本については、内装体２００と重なっていてもよいし、内装体２００と重なる幅方向中央部を除いてその幅方向両側にそれぞれ設けてもよい。このウエスト部弾性部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度設けるのが好ましく、これによるウエスト部Ｗの幅方向ＷＤの伸長率は１５０〜４００％、特に２２０〜３２０％程度であるのが好ましい。また、ウエスト部Ｗは、その前後方向ＬＤの全てに同じ太さのウエスト部弾性部材１７を用いたり、同じ伸長率にしたりする必要はなく、例えばウエスト部Ｗの上部と下部で弾性部材１７の太さや伸長率が異なるようにしてもよい。
【００８７】
また、外装体１２Ｆ，１２Ｂのウエスト下方部Ｕにおける外側不織布層１２Ｓ及び内側不織布層１２Ｈ間には、細長状弾性部材からなるウエスト下方部弾性部材１５が複数本、前後方向に間隔を空けて取り付けられている。
【００８８】
ウエスト下方部弾性部材１５としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度設けるのが好ましく、これによるウエスト下方部Ｕの幅方向ＷＤの伸長率は２００〜３５０％、特に２４０〜３００％程度であるのが好ましい。
【００８９】
また、後側外装体１２Ｂの臀部カバー部Ｃにおける外側不織布層１２Ｓ及び内側不織布層１２Ｈ間には、細長状弾性部材からなるカバー部弾性部材１６が複数本、前後方向に間隔を空けて取り付けられている。
【００９０】
カバー部弾性部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度設けるのが好ましく、これによるカバー部の幅方向ＷＤの伸長率は１５０〜３００％、特に１８０〜２６０％であるのが好ましい。
【００９１】
前側外装体１２Ｆに鼠径カバー部を設ける場合には同様にカバー部弾性部材を設けることができる。
【００９２】
（非伸縮領域）
図示例のウエスト下方部Ｕや臀部カバー部Ｃのように、吸収体５６を有する前後方向範囲に弾性部材１５，１６を設ける場合には、その一部又は全部において吸収体５６の幅方向ＷＤの収縮を防止するために、吸収体５６と幅方向ＷＤに重なる部分の一部又は全部を含む幅方向中間（好ましくは内外接合部２０１の全体を含む）が非伸縮領域Ａ１とされ、その幅方向両側が伸縮領域Ａ２とされる。ウエスト部Ｗは幅方向ＷＤの全体にわたり伸縮領域Ａ２とされるのが好ましいが、ウエスト下方部Ｕと同様に、幅方向中間に非伸縮領域Ａ１を設けても良い。
【００９３】
伸縮領域Ａ２及び非伸縮領域Ａ１は、内側不織布層１２Ｈと、外側不織布層１２Ｓとの間に、弾性部材１５，１６を供給し、弾性部材１５，１６を伸縮領域Ａ２における少なくとも伸縮方向ＥＤの両端部でホットメルト接着剤を介して固定し、非伸縮領域Ａ１となる領域では固定せず、非伸縮領域Ａ１となる領域において、弾性部材１５，１６を幅方向中間の１か所で加圧及び加熱により切断するか、又は弾性部材１５，１６のほぼ全体を加圧及び加熱により細かく切断し、伸縮領域Ａ２に伸縮性を残しつつ非伸縮領域Ａ１では伸縮性を殺すことにより構築することができる。前者の場合、図４に示すように、非伸縮領域Ａ１には、伸縮領域Ａ２の弾性部材１５，１６から連続する切断残部が不要弾性部材１８として単独で自然長まで収縮した状態で、外側不織布層１２Ｓ及び内側不織布層１２Ｈ間に残ることとなり、後者の場合、図示しないが、伸縮領域Ａ２の弾性部材１５，１６から連続する切断残部、及び両方の伸縮領域Ａ２の弾性部材１５，１６と連続しない弾性部材の切断片が不要弾性部材として単独で自然長まで収縮した状態で、外側不織布層１２Ｓ及び内側不織布層１２Ｈ間に残ることになる。
【００９４】
（外側不織布層及び内側不織布層の接合構造）
伸縮領域Ａ２には、図１１〜図１５に示すように、シート接合部７０が、少なくとも伸縮方向ＥＤに間隔を空けて繰り返し設けられている。したがって、孔１４以外の部分における通気性、柔軟性も確保される。シート接合部７０は、図１７に示す例のように複数の孔１４を通るように直交方向ＸＤに連続（伸縮領域Ａ２の直交方向ＸＤの全体にわたり連続する場合のほか、複数の弾性部材１９と交差する一部の範囲のみ連続する場合も含む）していてもよいし、図１１に示す例のように伸縮方向ＥＤだけでなく直交方向ＸＤにも間隔を空けて形成してもよい（つまり、図示例のように一つの孔１４に対して一つ設けられるだけでもよい）。いずれにせよ、本伸縮構造では、図１２（ｃ）（ｄ）、図１４（ｃ）（ｄ）及び図１５（ｃ）（ｄ）に示すように、弾性部材１９の収縮に伴い、外側不織布層１２Ｓ及び内側不織布層１２Ｈにおけるシート接合部７０間に位置する部分がそれぞれ収縮し、互いに反対向きに膨らんで襞８０が形成される。この襞８０は図１８（ａ）（ｂ）に示すように、直交方向ＸＤに延びるものとなる。
【００９５】
シート接合部７０の寸法等は適宜定めることができるが、通常の場合、シート接合部７０の伸縮方向ＥＤの寸法７０Ｗは０．５〜４ｍｍであり、シート接合部７０の伸縮方向ＥＤの間隔７０ｘは２．５〜１０．０ｍｍであると好ましい。また、図１１や図１３に示す例のように、シート接合部７０が伸縮方向ＥＤだけでなく、直交方向ＸＤにも間隔を空けて設けられている場合、シート接合部７０の直交方向ＸＤの寸法７０Ｌは０．５〜４ｍｍであり、シート接合部７０の直交方向ＸＤの間隔７０ｙは１．０〜５．０ｍｍであると好ましい。
【００９６】
図示例のシート接合部７０は、外側不織布層１２Ｓ及び内側不織布層１２Ｈがホットメルト接着剤１４Ｈ溶着を介して接合された部分であるが、外側不織布層１２Ｓ及び内側不織布層１２Ｈが溶着された部分であってもよい。
【００９７】
前述のとおり、伸縮構造における孔１４の配列は、シート接合部７０における伸縮方向ＥＤの中央部に設けられた孔１４が直交方向ＸＤに間隔を空けて並ぶ第１の孔列９１と、伸縮方向ＥＤにおける隣り合うシート接合部７０の間の中央部に設けられた孔１４が直交方向ＸＤに間隔を空けて並ぶ第２の孔列９２とが、伸縮方向ＥＤに間隔を空けて交互に繰り返すものとなっている。したがって、本伸縮構造では、第１の孔列９１はシート接合部７０に位置し、第２の孔列９２は伸縮方向ＥＤにおける隣り合うシート接合部７０の間の中央部に位置するため、第１の孔列９１の孔１４は襞８０の間の谷底に位置し、第２の孔列９２の孔１４は襞８０の頂部に位置することとなる。よって、自然長の状態等のようにある程度収縮した状態では、図１８（ａ）に示すように襞８０の頂部に第２の孔列９２が露出するとともに、襞８０間の谷底に第１の孔列９１が隠れる。また、装着状態等のようにある程度伸長した状態では、図１８（ｃ）に示すように襞８０の間隔が開いて、第１の孔列９１も露出するようになる。
【００９８】
そして、本伸縮構造では、孔１４の寸法が一律になっておらず、第１の孔列９１における孔１４の伸縮方向寸法９１Ｗが、第２の孔列９２における孔１４の伸縮方向寸法９２Ｗより長いものとなっている。つまり、本伸縮構造は、第１の孔列９１及び第２の孔列９２の両方により通気性を向上させること基本とするものである。ここで、第１の孔列９１は、その大きさが襞８０の頂部の形状にほとんど影響しないのに対し、第２の孔列９２はその大きさが襞８０の頂部の形状に強く影響する。本伸縮構造はこれを巧みに利用するものである。すなわち、第１の孔列９１の孔１４の伸縮方向寸法９１Ｗを第２の孔列９２の孔１４の伸縮方向寸法９２Ｗよりも大きくすることにより、全体としての通気性をより一層向上させつつ、その通気性向上の割には襞８０の外観は損なわれないものとすることができる。
【００９９】
第１の孔列９１における孔１４の伸縮方向寸法９１Ｗ、及び第２の孔列９２における孔１４の伸縮方向寸法９２Ｗは適宜定めることができるが、通常の場合、第１の孔列９１における孔１４の伸縮方向寸法９１Ｗは、第２の孔列９２における孔１４の伸縮方向寸法９２Ｗの１．５〜３．０倍であり、第２の孔列９２は、隣り合うシート接合部７０の間に位置することが好ましい。
【０１００】
孔１４の配列は限定されるものではないが、第１の孔列９１ではシート接合部７０及び孔１４は組み合わされて配置される。そして、シート接合部７０の配置は襞８０の形状に影響する。よって、これら考慮すると、すべての孔１４を合わせたときの孔１４の配列は、直交方向ＸＤに直線的に間隔を空けて並ぶ孔１４の列が伸縮方向ＥＤに間隔を空けて繰り返す行列状であり、第１の孔列９１ではシート接合部７０の伸縮方向ＥＤの中心と、孔１４の伸縮方向ＥＤの中心とが一致していると、襞が直交方向ＸＤに沿って直線的に延び、スッキリとした外観となるため好ましい。ここで、シート接合部７０の伸縮方向ＥＤの寸法７０Ｗは、第１の孔列９１における孔１４の伸縮方向ＥＤの寸法１４Ｗの１．５〜２．０倍であり、第１の孔列９１及び第２の孔列９２における孔１４の直交方向ＸＤの間隔１４ｙが、第１の孔列９１及び第２の孔列９２の伸縮方向ＥＤの間隔１４ｘの０．１〜１．０倍であると、さらに好ましいものとなる。このように孔１４が直交方向ＸＤに狭い間隔で直線的な列をなしており、かつシート接合部７０の両側縁が孔１４の両側近傍に位置していると、孔１４の列の方向に沿ってかつ孔１４を有する部分が谷底となるように折れやすくなるため、有孔不織布における襞が直交方向ＸＤに沿ってより綺麗に形成されるようになる。
【０１０１】
この行列配列における具体的な孔１４の寸法・配置、弾性部材の配置は適宜定めることができるが、以下の範囲内であると特に好ましい。
シート接合部７０の伸縮方向ＥＤの寸法７０Ｗが０．５〜４ｍｍであり、
シート接合部７０の伸縮方向ＥＤの間隔７０ｘが２．５〜１０．０ｍｍであり、
第１の孔列９１における孔１４の伸縮方向ＥＤの寸法９１Ｗ：０．３〜３．０ｍｍ
第２の孔列９２における孔１４の伸縮方向ＥＤの寸法９２Ｗ：０．１〜２．０ｍｍ
第１の孔列９１における孔１４の直交方向ＸＤの寸法９１Ｌ：０．３〜５．０ｍｍ
第２の孔列９２における孔１４の直交方向ＸＤの寸法９２Ｌ：０．１〜５．０ｍｍ
第１の孔列９１及び第２の孔列９２における孔１４の直交方向ＸＤの間隔９１ｙ，９２ｙ：１．０〜５．０ｍｍ
第１の孔列９１及び第２の孔列９２の伸縮方向ＥＤの間隔９１ｘ，９２ｘ：２．５〜１０．０ｍｍ
直交方向ＸＤにおける弾性部材１９の間隔：５〜１０ｍｍ
【０１０２】
シート接合部７０を伸縮方向ＥＤだけでなく、直交方向ＸＤにも間隔を空けて設ける場合、第１孔１４列に、孔１４と孔１４の縁部を対向する不織布に接着するシート接合部７０との組が、直交方向ＸＤに間隔を空けて並んでいることが好ましい。前述のように、この伸縮構造では、自然長時やある程度収縮した装着状態では、図１２（ｃ）（ｄ）、図１４（ｃ）（ｄ）及び図１５（ｃ）（ｄ）に示すように、弾性部材１９の収縮に伴い、外側不織布層１２Ｓ及び内側不織布層１２Ｈにおけるシート接合部７０間に位置する部分がそれぞれ収縮し、互いに反対向きに膨らんで襞が形成される。この襞は直交方向ＸＤに延びるものとなる。図１２（ｄ）、図１４（ｄ）及び図１５（ｄ）に示すように、シート接合部７０の直交方向ＸＤの間隔部分は、外側不織布層１２Ｓ及び内側不織布層１２Ｈともに襞８０と襞８０との間の谷部となる。ここで、シート接合部７０がホットメルト接着剤１４Ｈにより接着されていると、シート接合部７０とそれ以外の部分における圧縮の程度がほとんど変わらないため、加圧溶着の場合と比べて、シート接合部７０の直交方向ＸＤの間隔部分が反対向きに膨らみにくい。その上、本伸縮構造では、有孔不織布における各孔１４の径は、対向する不織布１５０層側と反対側から対向する不織布層側に向かうにつれて小さくなっている。このように、孔１４の径が、対向する不織布層側と反対側から対向する不織布層側に向かうにつれて小さくなっていると、孔１４及びその近傍では、対向する不織布層と反対側の面が谷折りとなるように折れやすい。ここで、本伸縮構造では孔１４とシート接合部７０が同配置となるため、シート接合部７０の直交方向ＸＤの間隔部分は、その両側に隣接する孔１４及びその近傍が谷折りになりやすい影響を受け、同じ方向に折れやすくなる。つまり、シート接合部７０の直交方向ＸＤの間隔部分は反対向きに膨らみにくくなる。これは、シート接合部が接着不十分等により剥離したとしても同様である。そして、シート接合部７０の直交方向ＸＤの間隔部分は反対向きに膨らみにくくなる結果、襞８０が枝分かれしたり、谷部が部分的に広くなったりしにくくなり、全体として、孔１４の列に沿って延びる整った襞８０が形成されやすくなる。換言すると、ある程度整った襞８０を形成する場合、シート接合部７０の直交方向ＸＤの間隔部分を加圧溶着の場合よりも広くできるようになり、より柔軟な伸縮構造とすることが可能となる。しかも、シート接合部７０がホットメルト接着である場合、シート接合部７０と弾性部材１９とが交差しても問題がないため、製造も容易となる。
【０１０３】
孔１４の縁部を対向する不織布に接着する場合における代表的な接着状態としては、図１６（ａ）に示すように、孔１４と重なる部分の全体、及び孔１４の縁部が、ホットメルト接着剤１４Ｈを介して対向する不織布層１２Ｈに接着されている状態、図１６（ｂ）（ｃ）に示すように、孔１４の中央部を取り囲み、かつ孔１４の縁部を含む環状部分のみが、ホットメルト接着剤１４Ｈを介して対向する不織布層１２Ｈと接着されている状態を例示することができる。後者のように、孔１４の近傍の環状部分のみをシート接合部７０とすることにより、通気性及び柔軟性により優れたものとなる。また、孔１４内にホットメルト接着剤１４Ｈがはみ出ているとしても、孔１４の中央部にはホットメルト接着剤１４Ｈは存在せず、また、孔１４を有する部分は襞８０の間の谷底に位置するため、ホットメルト接着剤１４Ｈは肌に触れにくいものとなる。なお、図１６に示す例は、いずれも対向面に突出部１４ｅが形成されているものである。図１６（ａ）に示す状態は、突出部及びその内側の全体にホットメルト接着剤１４Ｈが存在し、図１６（ｂ）に示す状態は、ほぼ突出部１４ｅしかホットメルト接着剤１４Ｈが存在せず、図１６（ｃ）に示す状態は孔１４と重なる部分の周縁部、及び突出部１４ｅの外側にホットメルト接着剤１４Ｈが存在するものである。
【０１０４】
孔１４及びシート接合部７０は、伸縮領域Ａ２だけに設けることもできるが、図８及び図９に示す例のように、非伸縮領域Ａ１を含むより広範囲の領域にわたり設けることができる。
【０１０５】
＜明細書中の用語の説明＞
明細書中の以下の用語は、明細書中に特に記載が無い限り、以下の意味を有するものである。
【０１０６】
・「前後（縦）方向」とは腹側（前側）と背側（後側）を結ぶ方向を意味し、「幅方向」とは前後方向と直交する方向（左右方向）を意味する。
【０１０７】
・「ＭＤ方向」及び「ＣＤ方向」とは、製造設備における流れ方向（ＭＤ方向）及びこれと直交する横方向（ＣＤ方向）を意味し、いずれか一方が前後方向となるものであり、他方が幅方向となるものである。不織布のＭＤ方向は、不織布の繊維配向の方向である。繊維配向とは、不織布の繊維が沿う方向であり、例えば、ＴＡＰＰＩ標準法Ｔ４８１の零距離引張強さによる繊維配向性試験法に準じた測定方法や、前後方向及び幅方向の引張強度比から繊維配向方向を決定する簡易的測定方法により判別することができる。
【０１０８】
・閉じた平面形状に関して「中心」とは、中心を有しない図形の場合には重心意味する。
【０１０９】
・「表側」とはパンツタイプ使い捨ておむつを着用した際に着用者の肌に近い方を意味し、「裏側」とはパンツタイプ使い捨ておむつを着用した際に着用者の肌から遠い方を意味する。
【０１１０】
・「表面」とは部材の、パンツタイプ使い捨ておむつを着用した際に着用者の肌に近い方の面を意味し、「裏面」とはパンツタイプ使い捨ておむつを着用した際に着用者の肌から遠い方の面を意味する。
【０１１１】
・「面積率」とは単位面積に占める対象部分の割合を意味し、対象領域（例えば不織布）における対象部分（例えば孔）の総和面積を当該対象領域の面積で除して百分率で表すものである。対象部分が間隔を空けて多数設けられる形態では、対象部分が１０個以上含まれるような大きさに対象領域を設定して、面積率を求めることが望ましい。例えば、孔の面積率は、例えばＫＥＹＥＮＣＥ社の商品名ＶＨＸ−１０００を使用し、測定条件を２０倍として、以下の手順で測定することができる。
（１）２０倍のレンズにセットし、ピントを調節する。穴が４×６入るように不織布の位置を調整する。
（２）孔の領域の明るさを指定し、孔の面積を計測する。
（３）「計測・コメント」の「面積計測」の色抽出をクリックする。孔の部分をクリックする。
（４）「一括計測」をクリックし、「計測結果ウィンドを表示」にチェックを入れ、ＣＳＶデータで保存をする。
【０１１２】
・「伸長率」は、自然長を１００％としたときの値を意味する。
【０１１３】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したもの）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【０１１４】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【０１１５】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【０１１６】
・「剛軟度」は、ＪＩＳ  Ｌ  １０９６：２０１０「織物及び編物の生地試験方法」の「8.21.1 A法（45°カンチレバー法）」を意味する。有孔不織布における穿孔加工前（無孔不織布）の値は、穿孔加工前の無孔不織布が入手できない場合には、孔の有無以外（繊維組成、繊度、目付け、厚み等）はすべて同じ不織布を用意して測定を行うものとする。
【０１１７】
・吸水量は、ＪＩＳ  Ｋ７２２３−１９９６「高吸水性樹脂の吸水量試験方法」によって測定する。
【０１１８】
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【０１１９】
・「展開状態」とは、収縮や弛み無く平坦に展開した状態を意味する。
【０１２０】
・各部の寸法は、特に記載が無い限り、自然長状態ではなく展開状態における寸法を意味する。
【０１２１】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【０１２２】
本発明は、パンツタイプ使い捨ておむつやテープタイプ使い捨ておむつの他、パッドタイプ使い捨ておむつ、使い捨て水着、おむつカバー、生理用ナプキン等、使い捨て着用物品全般に利用できるものである。
【符号の説明】
【０１２３】
１１…液不透過性シート、１２…外装体、１２Ａ…サイドシール部、１２Ｂ…後側外装体、１２Ｆ…前側外装体、１２Ｈ…内側不織布層、１２Ｓ…外側不織布層、１４…孔、１４ｅ…突出部、１４Ｈ…ホットメルト接着剤、１４ｒ…角、１８…不要弾性部材、１９…弾性部材、２０…カバー不織布、２００…内装体、２０１…内外接合部、３０…トップシート、４０…中間シート、５０…吸収要素、５６…吸収体、５８…包装シート、６０…起き上がりギャザー、６２…ギャザー不織布、７０…シート接合部、８０…襞、９１…第１の孔列、９２…第２の孔列、Ａ１…非伸縮領域、Ａ２…伸縮領域、Ｃ…臀部カバー部、Ｌ…中間領域、ＬＤ…前後方向、ＬＯ…脚開口、Ｔ…胴周り領域、Ｕ…ウエスト下方部、Ｗ…ウエスト部、ＷＤ…幅方向、ＷＯ…ウエスト開口、ＸＤ…直交方向、ＥＤ…伸縮方向。
【図１】
2019170552.tif 000003
【図２】
2019170552.tif 000004
【図３】
2019170552.tif 000005
【図４】
2019170552.tif 000006
【図５】
2019170552.tif 000007
【図６】
2019170552.tif 000008
【図７】
2019170552.tif 000009
【図８】
2019170552.tif 000010
【図９】
2019170552.tif 000011
【図１０】
2019170552.tif 000012
【図１１】
2019170552.tif 000013
【図１２】
2019170552.tif 000014
【図１３】
2019170552.tif 000015
【図１４】
2019170552.tif 000016
【図１５】
2019170552.tif 000017
【図１６】
2019170552.tif 000018
【図１７】
2019170552.tif 000019
【図１８】
2019170552.tif 000020
【手続補正書】
【提出日】平成30年12月11日(2018.12.11)
【手続補正１】
【補正対象書類名】明細書
【補正対象項目名】全文
【補正方法】変更
【補正の内容】
【発明の詳細な説明】
【技術分野】
【０００１】
本発明は、使い捨て着用物品の伸縮構造、及びこの伸縮構造を有するパンツタイプ使い捨て着用物品に関するものである。
【背景技術】
【０００２】
使い捨て着用物品においては、各部のフィット性を改善するために伸縮構造を設けることが一般的となっている。例えば、パンツタイプやテープタイプの使い捨ておむつにおいては、胴周り部に胴周り方向の伸縮構造を設けたり、脚周り部に脚周りに沿う方向の伸縮構造を設けたりすることが広く行われている。さらに、パンツタイプやテープタイプの使い捨ておむつはもちろん、生理用ナプキンを含めた使い捨て着用物品全般にわたり、立体ギャザーや平面ギャザーと呼ばれる前後方向の伸縮構造を設けることも広く行われている（例えば、特許文献１〜３参照）。
【０００３】
このような使い捨て着用物品の伸縮構造の代表的なものは、重なり合う第１不織布層及び第２不織布層の間に、伸縮方向に沿ってかつ互いに間隔を空けて設けられた細長状の弾性部材を備えるものである。第１不織布層及び第２不織布層は面状の伸縮領域を形成するとともに、弾性部材を被覆、隠蔽する役割を担い、第１不織布層及び第２不織布層間に内蔵される弾性部材は、弾性伸縮のための力を生み出す役割を担うものである。弾性部材は、伸縮方向に伸長された状態で、少なくとも伸縮領域の両端部に位置する部分が第１不織布層及び第２不織布層に固定される。この固定により、弾性部材と第１不織布層及び第２不織布層とが一体化され、第１不織布層及び第２不織布層は弾性部材の収縮力により収縮して襞（皺状のものも含む。以下、単に襞ともいう）が形成され、またこの収縮状態から弾性部材の収縮力に抗して伸長されると、襞が展開される。通常、第１不織布層及び第２不織布層は弾性伸長限界では襞が無い展開状態となり、弾性部材の収縮に伴って皺が寄り、自然長状態では最も密に皺が寄る。
【０００４】
このような伸縮構造では、第１不織布層及び第２不織布層が互いに自由であると、一方の不織布層が他方の不織布層に対して部分的又は全体的に浮いて不必要な皺や膨らみを生じるおそれがあるため、第１不織布層及び第２不織布層はそのほぼ全体にわたり直接的又は間接的に接合されている必要がある。以下、第１不織布層及び第２不織布層の接合部はシート接合部という。また、弾性部材により伸縮性を生み出すため、弾性部材は伸縮領域の伸縮方向の全体にわたり延在され、かつ少なくとも伸縮領域の伸縮方向の両端部に位置する部分は第１不織布層及び第２不織布層に対して固定され、自然長状態では弾性部材の収縮に伴い第１不織布層及び第２不織布層も収縮されている必要がある。つまり、第１不織布層及び第２不織布層間の接合と、第１不織布層及び第２不織布層に対する弾性部材の固定とが必要となるのである。
【０００５】
現在では、弾性部材を第１不織布層及び第２不織布層に固定する手段としては、ほとんどの場合、ホットメルト接着剤が選択されている。一方、第１不織布層及び第２不織布層間の接合は、ホットメルト接着剤の使用量を低減するために、超音波溶着等の溶着により行うことも多くなってきているが、ホットメルト接着剤も根強く利用されている。例えば、弾性部材の通過位置でホットメルト接着剤を介して第１不織布層及び第２不織布層を接合することにより、第１不織布層及び第２不織布層の接合と、第１不織布層及び第２不織布層に対する弾性部材の固定とを兼ねる兼用構造は広く採用されている。また、伸縮方向に間欠的に配された、伸縮方向と直交する方向（以下、単に直交方向ともいう）に連続するシート接合部で第１不織布層及び第２不織布層が接合された構造や、直交方向における弾性部材の間の位置で直交方向に間欠的に配された、伸縮方向に実質的に連続するシート接合部で第１不織布層及び第２不織布層が接合された構造が知られている。（特許文献１〜３参照）
【０００６】
他方、主に通気性を改善するために、第１不織布層及び第２不織布層に孔を設けることが提案されている（例えば特許文献４〜６参照）。
【０００７】
このうち、特許文献６記載のものは、伸縮方向及びこれと直交する方向に間隔を空けて行列状に配列された矩形状のシート接合部を厚み方向に加圧溶着することにより形成した後、このシート接合部に重ねて孔を形成するものである。この場合、伸縮方向におけるシート接合部の間の部分が互いに反対向きに膨らむことにより、直交方向に延びる襞が形成される。
【０００８】
特許文献６記載ものでは孔が襞の間の谷底にしか配置されないため、通気性を向上させるためには孔を大きくする必要がある。また、さらに通気性を向上させるためには、シート接合部以外の部位、例えば襞の頂部に孔を設ける必要がある。
【０００９】
他方、孔の形成方法は特に限定されるものではないが、打ち抜きにより孔を形成すると廃材が発生するため、ピンの突き刺しにより形成することが好ましい。
【００１０】
しかし、ピンの突き刺しにより孔を形成すると、ピンの挿入時に繊維が周囲に押し出されることにより、孔の縁が周囲よりも高密度になる。したがって、このような孔を襞の頂部に大きく形成すると、襞の頂部は、孔を有する部分ではより平坦に近く、低く、かつ伸縮方向の寸法が長い形状となり、孔を有しない部分ではより尖った形状に近く、高くかつ伸縮方向の寸法が短い形状となる。つまり、襞の頂部が凸凹になりやすく、平面形状も雲形形状になりやすい。かといって、孔を一律に小さくすると、通気性の向上は制限される。
【先行技術文献】
【特許文献】
【００１１】
【特許文献１】特開２００４−２２９８５７号公報
【特許文献２】特開２０１３−１３２３３１号公報
【特許文献３】特開２０１４−２０７９７３号公報
【特許文献４】特開２０１５−１０７２２３号公報
【特許文献５】特開２０１５−１２８５７３号公報
【特許文献６】特開２０１５−１９２８６２号公報
【特許文献７】特開２０１１−７８４７７号公報
【発明の概要】
【発明が解決しようとする課題】
【００１２】
そこで、本発明の主たる課題は、通気性の向上、及び襞の良好な外観の維持を両立しうる、使い捨て着用物品の伸縮構造を提供することにある。
【課題を解決するための手段】
【００１３】
上記課題を解決した使い捨て着用物品の伸縮構造等は次記のとおりである。
＜第１の態様＞
一部又は全部が重なり合う第１不織布層及び第２不織布層と、これら第１不織布層及び第２不織布層の間に伸縮方向と直交する直交方向に間隔を空けて配置された、伸縮方向に沿って延びる複数本の細長状の弾性部材とを有し、
前記弾性部材は、少なくとも伸縮領域における前記伸縮方向の両端部が前記第１不織布層及び第２不織布層に固定されており、
前記伸縮領域は、前記第１不織布層及び第２不織布層が接合されたシート接合部を有しており、
前記第１不織布層及び第２不織布層の少なくとも一方は、厚み方向に貫通する孔が配列された有孔不織布である、使い捨て着用物品の伸縮構造において、
前記シート接合部は、少なくとも前記伸縮方向に間隔を空けて設けられており、
前記伸縮構造における前記孔の配列は、前記シート接合部における前記伸縮方向の中央部に設けられた孔が前記直交方向に間隔を空けて並ぶ第１の孔列と、前記伸縮方向における隣り合う前記シート接合部の間の中央部に設けられた孔が前記直交方向に間隔を空けて並ぶ第２の孔列とが、伸縮方向に間隔を空けて交互に繰り返すものであり、
前記第１の孔列における前記孔の伸縮方向寸法が、前記第２の孔列における前記孔の伸縮方向寸法より長い、
ことを特徴とする使い捨て着用物品の伸縮構造。
【００１４】
（作用効果）
本伸縮構造では、シート接合部が、少なくとも伸縮方向間隔を空けて形成されているため、孔以外の部分における通気性、柔軟性も確保される。また、本伸縮構造では、伸縮方向におけるシート接合部の間の部分が互いに反対向きに膨らむことにより、直交方向に延びる襞が形成される。また、第１の孔列はシート接合部に位置し、第２の孔列は伸縮方向における隣り合うシート接合部の間の中央部に位置するため、第１の孔列の孔は襞の間の谷底に位置し、第２の孔列の孔は襞の頂部に位置することとなる。そして、本伸縮構造では、孔の寸法が一律になっておらず、第１の孔列における孔の伸縮方向寸法が、第２の孔列における孔の伸縮方向寸法より長いものとなっている。つまり、本伸縮構造は、第１の孔列及び第２の孔列の両方により通気性を向上させることを基本とするものである。ここで、第１の孔列は、その大きさが襞の頂部の形状にほとんど影響しないのに対し、第２の孔列はその大きさが襞の頂部の形状に強く影響する。本伸縮構造はこれを巧みに利用するものである。すなわち、第１の孔列の孔の伸縮方向寸法を第２の孔列の孔の伸縮方向寸法よりも大きくすることにより、全体としての通気性をより一層向上させつつ、その通気性向上の割には襞の外観は損なわれないものとすることができる。
【００１５】
なお、「伸縮構造における孔の配列」とは、第１不織布層及び第２不織布層におけるすべての孔を合わせた配列を意味する。よって、例えば第１不織布層及び第２不織布層のいずれか一方のみが有孔不織布の場合には、その有孔不織布における孔の配列に一致するが、第１不織布層及び第２不織布層の両方が有孔不織布の場合には、各不織布層の孔の配列が本態様の条件を満足しなくても、両不織布層のすべての孔を合わせた配列が本態様の条件を満足すればよい。
【００１６】
＜第２の態様＞
前記第１の孔列における前記孔の伸縮方向寸法は、前記第２の孔列における前記孔の伸縮方向寸法の１．５〜３．０倍であり、
前記第２の孔列は、隣り合う前記シート接合部の間に位置する、
第１の態様の使い捨て着用物品の伸縮構造。
【００１７】
（作用効果）
第１の孔列における孔の伸縮方向寸法、及び第２の孔列における孔の伸縮方向寸法は適宜定めることができるが、通常の場合、本態様の範囲内であることが好ましい。
【００１８】
＜第３の態様＞
前記伸縮構造における前記孔の配列は、前記直交方向に直線的に間隔を空けて並ぶ孔の列が前記伸縮方向に間隔を空けて繰り返す行列状であり、
前記第１の孔列では、前記シート接合部の前記伸縮方向の中心と、前記孔の前記伸縮方向の中心とが一致しており、
前記第１の孔列では、前記シート接合部の前記伸縮方向の寸法は、前記孔の前記伸縮方向の寸法の１．５〜２．０倍であり、
前記第１の孔列及び第２の孔列における前記孔の前記直交方向の間隔が、前記第１の孔列及び第２の孔列の前記伸縮方向の間隔の０．１〜１．０倍である、
第１又は２の態様の使い捨て着用物品の伸縮構造。
【００１９】
（作用効果）
本態様のように孔が直交方向に狭い間隔で直線的な列をなしており、かつシート接合部の両側縁が孔の両側近傍に位置していると、孔の列の方向に沿ってかつ孔を有する部分が谷底となるように折れやすくなるため、有孔不織布における襞が直交方向に沿ってより綺麗に形成されるようになる。
【００２０】
＜第４の態様＞
前記シート接合部の伸縮方向の寸法が０．５〜４ｍｍであり、
前記シート接合部の伸縮方向の間隔が２．５〜１０．０ｍｍであり、
前記第１の孔列及び第２の孔列における前記孔は、前記伸縮方向の寸法が０．３〜３．０ｍｍ、かつ前記直交方向の寸法が０．３〜５．０ｍｍであり、
前記第１の孔列及び前記第２の孔列における前記孔の前記直交方向の間隔が１．０〜５．０ｍｍであり、
前記第１の孔列及び前記第２の孔列の前記伸縮方向の間隔が２．５〜１０．０ｍｍであり、
前記直交方向における前記弾性部材の間隔が５〜１０ｍｍである、
第３の態様の使い捨て着用物品の伸縮構造。
【００２１】
（作用効果）
孔、シート接合部、弾性部材の配置は適宜定めることができるが、本態様の範囲内であることが好ましい。
【００２２】
＜第５の態様＞
前記シート接合部は、前記第１不織布層及び第２不織布層がホットメルト接着剤を介して接合されたものであり、
前記第１の孔列には、孔と孔の縁部を対向する不織布に接着するシート接合部との組が、前記直交方向に間隔を空けて並んでおり、
前記有孔不織布における各孔の径は、対向する不織布層側と反対側から対向する不織布層側に向かうにつれて小さくなっている、
第１〜４のいずれか１つの態様の使い捨て着用物品の伸縮構造。
【００２３】
（作用効果）
また、本伸縮構造では、伸縮方向におけるシート接合部の間の部分が互いに反対向きに膨らむことにより、直交方向に延びる襞が形成される。シート接合部の直交方向の間隔部分は、第１不織布層及び第２不織布層ともに襞と襞との間の谷部となる。ここで、シート接合部が厚み方向に加圧溶着されていると、シート接合部の直交方向の間隔部分では、シート接合部の縁から不織布層の厚みが復元することにより互いに反対向きに膨らみやすくなる。そして、このようにシート接合部の直交方向の間隔部分が膨らみやすくなると、襞が枝分かれしたり、襞の山部が部分的に広くなったりする等、全体として整った襞が形成されにくい。この問題を発生しにくくするためには、シート接合部の直交方向の間隔を非常に狭くする必要があるが、シート接合部の直交方向の間隔部分に弾性部材を通す必要もあるため、製造が極めて困難となる。
【００２４】
これに対して、本伸縮構造のように、シート接合部がホットメルト接着剤により接着されていると、シート接合部とそれ以外の部分における圧縮の程度がほとんど変わらないため、加圧溶着の場合と比べて、シート接合部の直交方向の間隔部分が反対向きに膨らみにくい。
【００２５】
その上、本伸縮構造では、有孔不織布における各孔の径は、対向する不織布層側と反対側から対向する不織布層側に向かうにつれて小さくなっている。このように、孔の径が、対向する不織布層側と反対側から対向する不織布層側に向かうにつれて小さくなっていると、孔及びその近傍では、対向する不織布層と反対側の面が谷折りとなるように折れやすい。ここで、本伸縮構造では孔とシート接合部が同配置となるため、シート接合部の直交方向の間隔部分は、その両側に隣接する孔及びその近傍が谷折りになりやすい影響を受け、同じ方向に折れやすくなる。つまり、シート接合部の直交方向の間隔部分は反対向きに膨らみにくくなる。
【００２６】
そして、シート接合部の直交方向の間隔部分は反対向きに膨らみにくくなる結果、襞が枝分かれしたり、谷部が部分的に広くなったりしにくくなり、全体として、孔の列に沿って延びる整った襞が形成されやすくなる。換言すると、ある程度整った襞を形成する場合、シート接合部の直交方向の間隔部分を加圧溶着の場合よりも広くできるようになり、より柔軟な伸縮構造とすることが可能となる。しかも、シート接合部がホットメルト接着である場合、シート接合部と弾性部材とが交差しても問題がないため、製造も容易となる。
【００２７】
さらに、シート接合部が接着不十分等により剥離したとしても、孔及びその近傍では、対向する不織布層と反対側の面が谷折りとなるように折れやすいため、シート接合部の直交方向の間隔部分は反対向きに膨らみにくにくいという利点もある。
【００２８】
なお、孔の径は、孔の重心を通りかつ伸縮方向と直交する方向の寸法（したがって、円の場合は直径となり、楕円の場合は長径となる）を意味する。
【００２９】
＜第６の態様＞
前記シート接合部では、前記孔を取り囲み、かつ前記孔の縁部を含む環状部分のみが、前記ホットメルト接着剤を介して前記対向する不織布層と接着されている、
第５の態様の使い捨て着用物品の伸縮構造。
【００３０】
（作用効果）
このように、孔の近傍の環状部分のみをシート接合部とすることにより、通気性及び柔軟性により優れたものとなる。また、孔内にホットメルト接着剤がはみ出ているとしても、孔の中央部にはホットメルト接着剤は存在せず、また、孔を有する部分は襞の間の谷底に位置するため、ホットメルト接着剤は肌に触れにくいものとなる。
【００３１】
＜第７の態様＞
前記第１不織布層及び第２不織布層のうち、装着者の肌側となる不織布層が無孔不織布であり、反対の不織布層が前記有孔不織布である、
第１〜６のいずれか１つの態様の使い捨て着用物品の伸縮構造。
【００３２】
（作用効果）
肌側の不織布層を無孔不織布とすることにより、孔の肌触りへの影響を無くすことができる。また、第１不織布層及び第２不織布層のうち一方にしか孔がないため、装着時に肌が露出することがなく、孔を通じた漏れを防止することができる。
【００３３】
＜第８の態様＞
前記第１不織布層及び第２不織布層の両方が前記有孔不織布であり、一方の有孔不織布の孔と、他方の有孔不織布の孔とが重ならない、
第１〜６のいずれか１つの態様の使い捨て着用物品の伸縮構造。
【００３４】
（作用効果）
本態様では、両方の不織布層を有孔不織布とすることにより、より高い通気性を獲得することができる。また、一方の有孔不織布の孔と、他方の有孔不織布の孔とが重ならないため、装着時に肌が露出することがなく、孔を通じた漏れを防止することができる。
【００３５】
＜第９の態様＞
前身頃から後身頃にわたる一体的な外装体、又は前身頃及び後身頃に別々に設けられた外装体と、この外装体の幅方向中間部に取り付けられた、股間部の前後両側にわたる内装体と、前身頃における外装体の両側部と後身頃における外装体の両側部とがそれぞれ接合されたサイドシール部と、ウエスト開口及び左右一対の脚開口とを備え、
前記前身頃及び後身頃の少なくとも一方における前記外装体は、少なくとも前後方向の一部の範囲における前記サイドシール部間に対応する幅方向範囲にわたり、第１〜８のいずれか１つの態様の伸縮構造を、その伸縮領域の伸縮方向が幅方向となるように備えている、
ことを特徴とするパンツタイプ使い捨て着用物品。
【００３６】
（作用効果）
前述の伸縮構造は、パンツタイプの使い捨て着用物品の外装体に好適なものである。
【発明の効果】
【００３７】
本発明によれば、通気性の向上、及び襞の良好な外観の維持を両立しうるようになる、等の利点がもたらされる。
【図面の簡単な説明】
【００３８】
【図１】展開状態のパンツタイプ使い捨ておむつの内面を示す、平面図である。
【図２】展開状態のパンツタイプ使い捨ておむつの外面を示す、平面図である。
【図３】図１の２−２断面図である。
【図４】図１の３−３断面図である。
【図５】（ａ）図１の４−４断面図、及び（ｂ）図１の５−５断面図である。
【図６】パンツタイプ使い捨ておむつの斜視図（孔省略）である。
【図７】展開状態の内装体の外面を外装体の輪郭とともに示す、平面図である。
【図８】展開状態のパンツタイプ使い捨ておむつの外面を示す、平面図である。
【図９】（ａ）図８の４−４断面図、及び（ｂ）図８の５−５断面図である。
【図１０】孔の配列例を示す平面図である。
【図１１】展開状態の外装体の要部を拡大して示す平面図である。
【図１２】（ａ）図１１の６−６断面図、（ｂ）図１１の７−７断面図、（ｃ）収縮状態における孔及びシート接合部を有する部分の断面図、及び（ｄ）収縮状態におけるシート接合部の間の部分の断面図である。
【図１３】展開状態の外装体の要部を拡大して示す平面図である。
【図１４】（ａ）図１３の６−６断面図、（ｂ）図１３の７−７断面図、及び（ｃ）収縮状態における孔及びシート接合部を有する部分の断面図、及び（ｄ）収縮状態におけるシート接合部の間の部分の断面図である。
【図１５】（ａ）展開状態の前後方向断面図、（ｂ）展開状態の幅方向断面図、及び（ｃ）収縮状態における孔及びシート接合部を有する部分の断面図、及び（ｄ）収縮状態におけるシート接合部の間の部分の断面図である。
【図１６】シート接合部の拡大断面図である。
【図１７】展開状態の外装体の要部を拡大して示す平面図である。
【図１８】（ａ）自然長の状態の外装体の外面を示す正面図、（ｂ）自然長の状態の外装体の内面を示す正面図、（ｃ）ある程度伸長した状態の外装体の外面を示す正面図である。
【発明を実施するための形態】
【００３９】
以下、パンツタイプ使い捨ておむつの例について、添付図面を参照しつつ詳説する。断面図における点模様部分はその表側及び裏側に位置する各構成部材を接合する接合手段としての接着剤を示しており、ホットメルト接着剤のベタ、ビード、カーテン、サミット若しくはスパイラル塗布、又はパターンコート（凸版方式でのホットメルト接着剤の転写）などにより、あるいは弾性部材の固定部分はこれに代えて又はこれとともにコームガンやシュアラップ塗布などの弾性部材の外周面への塗布により形成されるものである。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００４０】
図１〜図６に示されるパンツタイプ使い捨ておむつは、前身頃Ｆを構成する前側外装体１２Ｆ及び後身頃Ｂを構成する後側外装体１２Ｂと、前側外装体１２Ｆから股間部を経て後側外装体１２Ｂまで延在するように外装体１２Ｆ，１２Ｂの内側に設けられた内装体２００とを備えている。前側外装体１２Ｆの両側部と後側外装体１２Ｂの両側部とが接合されて、サイドシール部１２Ａが形成されている。この結果、外装体１２Ｆ，１２Ｂの前後端部により形成される開口が装着者の胴を通すウエスト開口ＷＯとなり、内装体２００の幅方向両側において外装体１２Ｆ，１２Ｂの下縁及び内装体２００の側縁によりそれぞれ囲まれる部分が脚を通す脚開口ＬＯとなる。内装体２００は、尿等の排泄物等を吸収保持する部分であり、外装体１２Ｆ，１２Ｂは着用者の身体に対して内装体２００を支えるための部分である。図中の符号Ｙは展開状態におけるおむつの全長（前身頃Ｆのウエスト開口ＷＯの縁から後身頃Ｂのウエスト開口ＷＯの縁までの前後方向長さ）を示しており、符号Ｘは展開状態におけるおむつの全幅を示している。
【００４１】
また、本パンツタイプ使い捨ておむつは、サイドシール部１２Ａを有する前後方向範囲（ウエスト開口ＷＯから脚開口ＬＯの上端に至る前後方向範囲）として定まる胴周り領域Ｔと、脚開口ＬＯを形成する部分の前後方向範囲（前身頃Ｆのサイドシール部１２Ａを有する前後方向領域と後身頃Ｂのサイドシール部１２Ａを有する前後方向領域との間）として定まる中間領域Ｌとを有する。胴周り領域Ｔは、概念的にウエスト開口の縁部を形成する「ウエスト部」Ｗと、これよりも下側の部分である「ウエスト下方部」Ｕとに分けることができる。通常、胴周り領域Ｔ内に幅方向ＷＤの伸縮応力が変化する境界（例えば弾性部材の太さや伸長率が変化する）を有する場合は、最もウエスト開口ＷＯ側の境界よりもウエスト開口ＷＯ側がウエスト部Ｗとなり、このような境界が無い場合は吸収体５６又は内装体２００よりもウエスト開口ＷＯ側がウエスト部Ｗとなる。これらの前後方向長さは、製品のサイズによって異なり、適宜定めることができるが、一例を挙げると、ウエスト部Ｗは１５〜４０ｍｍ、ウエスト下方部Ｕは６５〜１２０ｍｍとすることができる。一方、中間領域Ｌの両側縁は被着者の脚周りに沿うようにコ字状又は曲線状に括れており、ここが装着者の脚を入れる部位となる。この結果、展開状態のパンツタイプ使い捨ておむつは、全体として略砂時計形状をなしている。
【００４２】
（内外接合部）
内装体２００の外装体１２Ｆ，１２Ｂに対する固定は、特に限定されず、例えばホットメルト接着剤により行うことができる。図示例では、内装体２００の裏面、つまりこの場合は液不透過性シート１１の裏面及び起き上がりギャザー６０の付根部分６５に塗布されたホットメルト接着剤を介して外装体１２Ｆ，１２Ｂの内面に対して固定されている。この内装体２００と外装体１２Ｆ，１２Ｂとを固定する内外接合部２０１は、両者が重なる領域のほぼ全体に設けることができ、例えば内装体２００の幅方向両端部を除いた部分に設けることもできる。
【００４３】
（内装体）
内装体２００は任意の形状を採ることができるが、図示の形態では長方形である。内装体２００は、図３〜図５に示されるように、身体側となるトップシート３０と、液不透過性シート１１と、これらの間に介在された吸収要素５０とを備えているものであり、吸収機能を担う本体部である。符号４０は、トップシート３０を透過した液を速やかに吸収要素５０へ移行させるために、トップシート３０と吸収要素５０との間に設けられた中間シート（セカンドシート）を示しており、符号６０は、内装体２００の両脇に排泄物が漏れるのを防止するために、内装体２００の両側部から装着者の脚周りに接するように延び出た起き上がりギャザー６０を示している。
【００４４】
（トップシート）
トップシート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００４５】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００４６】
トップシート３０の両側部は、吸収要素５０の側縁で裏側に折り返しても良く、また折り返さずに吸収要素５０の側縁より側方にはみ出させても良い。
【００４７】
トップシート３０は、裏側の部材に対する位置ずれを防止する等の目的で、ヒートシール、超音波シールのような素材溶着による接合手段や、ホットメルト接着剤により裏側に隣接する部材に固定することが望ましい。図示例では、トップシート３０はその裏面に塗布されたホットメルト接着剤により中間シート４０の表面及び包装シート５８のうち吸収体５６の表側に位置する部分の表面に固定されている。
【００４８】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、トップシート３０上を常に乾燥した状態とすることができる。中間シート４０は省略することもできる。
【００４９】
中間シート４０としては、トップシート３０と同様の素材や、スパンレース不織布、スパンボンド不織布、ＳＭＳ不織布、パルプ不織布、パルプとレーヨンとの混合シート、ポイントボンド不織布又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００５０】
図示の形態の中間シート４０は、吸収体５６の幅より短く中央に配置されているが、全幅にわたって設けてもよい。中間シート４０の長手方向長さは、おむつの全長と同一でもよいし、吸収要素５０の長さと同一でもよいし、液を受け入れる領域を中心にした短い長さ範囲内であってもよい。
【００５１】
中間シート４０は、裏側の部材に対する位置ずれを防止する等の目的で、ヒートシール、超音波シールのような素材溶着による接合手段や、ホットメルト接着剤により裏側に隣接する部材に固定することが望ましい。図示例では、中間シート４０はその裏面に塗布されたホットメルト接着剤により包装シート５８のうち吸収体５６の表側に位置する部分の表面に固定されている。
【００５２】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、ムレ防止の観点から好まれて使用されている液不透過性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。この他にも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに液不透過性としたシートも、液不透過性シート１１として用いることができる。
【００５３】
液不透過性シート１１は、図示のように吸収要素５０の裏側に収まる幅とする他、防漏性を高めるために、吸収要素５０の両側を回り込ませて吸収要素５０のトップシート３０側面の両側部まで延在させることもできる。この延在部の幅は、左右それぞれ５〜２０ｍｍ程度が適当である。
【００５４】
（起き上がりギャザー）
起き上がりギャザー６０は、横漏れを防止するためのものであり、内装体２００の両側部に沿って前後方向ＬＤの全体にわたり延在し、内装体２００の側部から表側に起立するものである。図示例の起き上がりギャザー６０は、付け根側部分が幅方向中央側に向かって斜めに起立し、中間部より先端側部分が幅方向外側に向かって斜めに起立するものであるが、これに限定されるものではなく、全体として幅方向中央側に起立する形態等、適宜の変更が可能である。
【００５５】
より詳細に説明すると、図示例の起き上がりギャザー６０は、内装体２００の前後方向長さに等しい長さを有する帯状のギャザー不織布６２を、先端となる部分で幅方向ＷＤに折り返して二つに折り重ねるとともに、折り返し部分及びその近傍のシート間に、細長状のギャザー弾性部材６３を長手方向に沿って伸長状態で、幅方向ＷＤに間隔を空けて複数本固定してなるものである。起き上がりギャザー６０のうち先端部と反対側に位置する基端部（幅方向ＷＤにおいてシート折り返し部分と反対側の端部）は、内装体２００における液不透過性シート１１より裏側の側部に固定された付根部分６５とされ、この付根部分６５以外の部分は付根部分６５から延び出る本体部分６６（折り返し部分側の部分）とされている。また、本体部分６６は、幅方向中央側に延びる付け根側部分と、この付け根側部分の先端で折り返され、幅方向外側に延びる先端側部分とを有している。この形態は面接触タイプの起き上がりギャザー６０であるが、幅方向外側に折り返されない線接触タイプの起き上がりギャザー６０も採用することができる。そして、本体部分６６のうち前後方向両端部が倒伏状態でトップシート３０の側部表面に対して固定された倒伏部分６７とされる一方で、これらの間に位置する前後方向中間部は非固定の自由部分６８とされ、この自由部分６８の少なくとも先端部に前後方向ＬＤに沿うギャザー弾性部材６３が伸長状態で固定されている。
【００５６】
以上のように構成された起き上がりギャザー６０では、ギャザー弾性部材６３の収縮力が前後方向両端部を近づけるように作用するが、本体部分６６のうち前後方向両端部が起立しないように固定されるのに対して、それらの間は非固定の自由部分６８とされているため、自由部分６８のみが図３に矢印で示すように身体側に当接するように起立する。特に、付根部分６５が内装体２００の裏側に位置していると、股間部及びその近傍において自由部分６８が幅方向外側に開くように起立するため、起き上がりギャザー６０が脚周りに面で当接するようになり、フィット性が向上するようになる。
【００５７】
（吸収要素）
吸収要素５０は特に限定されるものではないが、本例では吸収体５６と、この吸収体５６の全体を包む包装シート５８とを有するものとなっている。包装シート５８は省略することもできる。
【００５８】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。吸収体５６中には高吸収性ポリマー粒子を分散保持させるのが好ましい。
【００５９】
吸収体５６は長方形形状でも良いが、図７にも示すように、前端部、後端部及びこれらの間に位置し、前端部及び後端部と比べて幅が狭い括れ部５６Ｎとを有する砂時計形状を成していると、吸収体５６自体と起き上がりギャザー６０の、脚周りへのフィット性が向上するため好ましい。
【００６０】
また、吸収体５６の寸法は排尿口位置の前後左右にわたる限り適宜定めることができるが、前後方向ＬＤ及び幅方向ＷＤにおいて、内装体２００の周縁部又はその近傍まで延在しているのが好ましい。なお、符号５６Ｘは吸収体５６の幅を示している。
【００６１】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の使い捨ておむつに使用されるものをそのまま使用できる。
【００６２】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００６３】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００６４】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００６５】
高吸収性ポリマー粒子の目付け量は、当該吸収体５６の用途で要求される吸収量に応じて適宜定めることができる。したがって一概には言えないが、５０〜３５０ｇ／ｍ2とすることができる。
【００６６】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００６７】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後からはみ出させ、巻き重なる部分及び前後はみ出し部分の重なり部分をホットメルト接着剤、素材溶着等の接合手段により接合する形態が好ましい。
【００６８】
（外装体）
外装体１２Ｆ，１２Ｂは、前身頃Ｆを構成する部分である前側外装体１２Ｆと、後身頃Ｂを構成する部分である後側外装体１２Ｂとからなり、前側外装体１２Ｆ及び後側外装体１２Ｂは股間側で連続しておらず、前後方向ＬＤに離間されている（外装二分割タイプ）。この離間距離１２ｄは例えば全長Ｙの４０〜６０％程度とすることができる。また、図８及び図９に示すように、外装体１２が、前身頃Ｆから後身頃Ｂにかけて股間を通り連続する一体的なものとすることもできる（外装一体タイプ）。
【００６９】
外装二分割タイプのパンツタイプ使い捨ておむつでは、前側外装体１２Ｆ及び後側外装体１２Ｂとの間に内装体２００が露出するため、内装体２００の裏面に液不透過性シート１１が露出しないように、前側外装体１２Ｆと内装体２００との間から、後側外装体１２Ｂと内装体２００との間にかけて、内装体２００の裏面を覆うカバー不織布２０を備えていると好ましい。カバー不織布２０の素材は特に限定されず、例えば外装体１２の外側不織布層１２Ｓ又は内側不織布層１２Ｈと同様の素材（後述する有孔不織布層でも、無孔不織布層でもよい）とすることができる。カバー不織布２０の前後方向範囲は、前側外装体１２Ｆ及び後側外装体１２Ｂに重なる部分を有している限り特に限定されず、内装体２００の前端から後端までの全体にわたり前後方向ＬＤに延在していてもよく、図７に示すように、前側外装体１２Ｆと内装体２００とが重なる領域の前後方向中間位置から後側外装体１２Ｂと内装体２００とが重なる領域の前後方向中間位置まで前後方向ＬＤに延在していてもよい。
【００７０】
外装体１２Ｆ，１２Ｂは、胴周り領域Ｔと対応する前後方向範囲である胴周り部を有する。また、本形態では、前側外装体１２Ｆには中間領域Ｌと対応する部分を有していないが、後側外装体１２Ｂは胴周り領域Ｔから中間領域Ｌ側に延び出る臀部カバー部Ｃを有している。図示しないが、前側外装体１２Ｆにも胴周り領域Ｔから中間領域Ｌ側に延び出る鼠蹊カバー部を設けたり、鼠径カバー部は設けるものの臀部カバー部は設けない形態としたり、前側外装体１２Ｆ及び後側外装体１２Ｂの両方に中間領域Ｌと対応する部分を設けなくても良い。また、図示例では、臀部カバー部Ｃの下縁は、前側外装体１２Ｆの下縁と同様、幅方向ＷＤに沿う直線状に形成しているが、幅方向外側に向かうにつれてウエスト開口側に位置するようになる曲線とすることもできる。
【００７１】
外装体１２Ｆ，１２Ｂは、図２〜図５に示されるように、外側不織布層１２Ｓ及び内側不織布層１２Ｈにより表裏が形成されている。いうまでもないが、外側不織布層１２Ｓ及び内側不織布層１２Ｈのいずれか一方が本発明の第１不織布層に相当し、他方が本発明の第２不織布層に相当する、外側不織布層１２Ｓ及び内側不織布層１２Ｈは、図５に示すように、一枚のシート材をウエスト開口側に折目が位置するように折り畳んで形成する他、図９に示すように、二枚のシート材を貼り合わせて形成することもできる。また、これらシート材のうち最も内側に位置する部分１２ｒを内装体２００のウエスト開口ＷＯ側の端部まで延在させることもできる（図９例を参照）。また、外側不織布層１２Ｓ及び内側不織布層１２Ｈの少なくとも一方は、その一部が他の部分と異なるシート材により形成されていても良い。
【００７２】
外側不織布層１２Ｓ及び内側不織布層１２Ｈの構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布層１２Ｓ，１２Ｈの柔軟性を高めるために、構成繊維を捲縮繊維とするのは好ましい。また、外側不織布層１２Ｓ及び内側不織布層１２Ｈの構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も、外側不織布層１２Ｓ及び内側不織布層１２Ｈとして用いることができる。
【００７３】
外側不織布層１２Ｓ及び内側不織布層１２Ｈの構成繊維の繊度及び目付けは適宜定めることができるが、通常の場合、それぞれ１．８〜６．０ｄｔｅｘ程度、１０〜３０ｇ／ｍ2程度であると好ましい。
【００７４】
（有孔不織布について）
図２、図８、図１１及び図１２に示すように、外側不織布層１２Ｓ及び内側不織布層１２Ｈの少なくとも一方は、厚み方向に貫通する孔１４が散在する有孔不織布とされる。図１１及び図１２に示すように、装着者の肌側となる内側不織布層１２Ｈが無孔不織布であり、外側不織布層１２Ｓが有孔不織布であると、孔１４の肌触りへの影響を無くすことができる。また、外側不織布層１２Ｓ及び内側不織布層１２Ｈのうち一方にしか孔１４がないため、装着時に肌が露出することがなく、孔１４を通じた漏れを防止することができる。図示しないが、装着者の肌側となる内側不織布層１２Ｈを有孔不織布とし、外側不織布層１２Ｓを無孔不織布としてもよい。図１３及び図１４に示すように、外側不織布層１２Ｓ及び内側不織布層１２Ｈの両方が有孔不織布であり、一方の有孔不織布の孔１４と、他方の有孔不織布の孔１４とが重ならない構造であるのも好ましい。この場合、外側不織布層１２Ｓ及び内側不織布層１２Ｈの両方を有孔不織布とすることにより、より高い通気性を獲得することができる。また、一方の有孔不織布の孔１４と、他方の有孔不織布の孔１４とが重ならないため、装着時に肌が露出することがなく、孔１４を通じた漏れを防止することができる。図１５に示すように、外側不織布層１２Ｓ及び内側不織布層１２Ｈの両方が有孔不織布であり、一方の有孔不織布の孔１４と、他方の有孔不織布の孔１４とが完全に又は部分的に重なっていてもよい。また、図示しないが、外側不織布層１２Ｓ及び内側不織布層１２Ｈの両方が有孔不織布である場合において、大部分（例えば５０％以上の面積）では、一方の有孔不織布の孔１４と他方の有孔不織布の孔１４とが重ならないものの、一部では、一方の有孔不織布の孔１４と他方の有孔不織布の孔１４とが重なっていてもよい。
【００７５】
個々の孔１４の平面形状（開口形状）は、適宜定めることができる。孔１４は、図１０（ａ）（ｂ）に示すような長孔形とするほか、図１０（ｅ）に示すような真円形、図１０（ｄ）に示すような楕円形、三角形、長方形、ひし形等の多角形、星形、雲形等、任意の形状とすることができる。図１０（ｃ）に示すように異なる形状の孔が混在していてもよい。個々の孔１４の寸法は特に限定されないが、直交方向ＸＤの寸法（最も長い部分の寸法）１４Ｌは０．３〜５．０ｍｍ、特に０．６〜２．０ｍｍとするのが好ましく、幅方向ＷＤの寸法（最も長い部分の寸法）１４Ｗは０．３〜３．０ｍｍ、特に０．４〜１．５ｍｍとするのが好ましい。孔１４の形状が、長孔形、楕円形、長方形、ひし形等のように一方向に長い形状（一方向の全長がこれと直交する方向の全長よりも長い形状）の場合、長手方向の寸法（最も長い部分の寸法）はこれと直交する方向の寸法（最も長い部分の寸法）の１．２〜２．５倍であることが好ましい。また、孔１４の形状が一方向に長い形状の場合、孔１４の長手方向が前後方向ＬＤであることが望ましいが、幅方向ＷＤや斜め方向であってもよい。
【００７６】
個々の孔１４の面積及び面積率は適宜定めればよいが、面積は０．１〜２．７ｍｍ2（特に０．１〜１．０ｍｍ2）程度であることが好ましく、面積率は１．０〜１５．０％（特に５．０〜１０．０％）程度であることが好ましい。
【００７７】
一枚の有孔不織布における孔１４の平面配列は特に限定されるものではない。よって、例えば、図示しないが、外側不織布層１２Ｓ及び内側不織布層１２Ｈの両方が有孔不織布である場合において、外側不織布層１２Ｓ及び内側不織布層１２Ｈは孔１４の寸法、形状及び配列の少なくとも一つが異なっていてもよい。
【００７８】
一方、外側不織布層１２Ｓ及び内側不織布層１２Ｈにおけるすべての孔１４を合わせた（つまりすべての孔１４を平面投影したときの）孔１４の平面配列は、後述するシート接合部７０における伸縮方向ＥＤの中央部に設けられた孔１４が直交方向ＸＤに間隔を空けて並ぶ第１の孔列９１と、伸縮方向ＥＤにおける隣り合うシート接合部７０の間の中央部に設けられた孔１４が直交方向ＸＤに間隔を空けて並ぶ第２の孔列９２とが、伸縮方向ＥＤに間隔を空けて交互に繰り返すものである限り適宜定めることができる。例えば、図１０（ａ）（ｃ）（ｄ）に示すように、すべての孔１４の配列は、直交方向ＸＤに所定の間隔で直線的に間隔を空けて並ぶ孔１４の列が伸縮方向ＥＤに所定の間隔を空けて繰り返す行列状であると好ましい。この場合、図１０（ａ）に示すように、第１の孔列９１と第２の孔列９２との伸縮方向ＥＤの間隔１４ｘが、第１の孔列９１における孔１４の直交方向ＸＤの間隔９１ｙよりも短い配列とする他、図１０（ｃ）に示すように、第１の孔列９１と第２の孔列９２との伸縮方向ＥＤの間隔１４ｘと、第１の孔列９１における孔１４の直交方向ＸＤとの間隔９１ｙがほぼ等しい配列、又は図１０（ｄ）に示すように、第１の孔列９１と第２の孔列９２との伸縮方向ＥＤの間隔１４ｘが、第１の孔列９１における孔１４の直交方向ＸＤの間隔９１ｙよりも長い配列とすることができる。また、図１０（ｂ）（ｅ）に示すように、第１の孔列９１における直交方向ＸＤの孔１４の位置と、第２の孔列９２における直交方向ＸＤの孔１４の位置とはずれていてもよい。また、図１０（ｆ）に示すように、隣り合う孔列９１，９２の間が直交方向ＸＤに連続する部分を有する限り、孔１４が直交方向に沿う中心線を有する波線状に並ぶものも、伸縮方向ＥＤと直交する方向に間隔を空けて並ぶ孔１４の列が、伸縮方向ＥＤに間隔を空けて並ぶものに含まれる。
【００７９】
第１の孔列９１における孔１４の直交方向間隔９１ｙ及び第１の孔列９１と第２の孔列９２との伸縮方向間隔１４ｘはそれぞれ一定であっても、変化してもよい。これらは適宜定めることができるが、通気性を考慮すると、第１の孔列９１における孔１４の直交方向間隔９１ｙは０．９〜８．０ｍｍ、特に１．０〜３．０ｍｍの範囲内とすることが望ましく、第１の孔列９１と第２の孔列９２との伸縮方向間隔１４ｘは２．０〜８．０ｍｍ、特に２．０〜５．０ｍｍの範囲内とすることが望ましい。また、第２の孔列９２における孔１４の直交方向間隔９２ｙは、第１の孔列９１における孔１４の直交方向間隔９１ｙの１．０〜３．０倍であることが望ましい。
【００８０】
孔１４の断面形状は特に限定されない。例えば、孔１４は、周縁が繊維の切断端により形成されている打ち抜きタイプの孔であっても、孔１４の周縁に繊維の切断端がほとんど無く、ピンが繊維間に挿入されて押し広げられて形成された非打ち抜きタイプの孔（縁部の繊維密度が高い）であってもよい。打ち抜きタイプの孔は、図１６（ｄ）に示すように、孔１４の径が厚み方向中間に向かうにつれて小さくなるものであっても、図示しないが厚み方向一方側に向かうにつれて小さくなるものであってもよい。
【００８１】
非打ち抜きタイプの孔１４は、孔１４の径がピン挿入側から反対側に向かうにつれて小さくなるものである。これには、孔１４の径が不織布層の厚み方向の全体にわたり減少し続けるもののほか、厚み方向の中間で孔１４の径の減少がほぼなくなるものも含まれる。このような非打ち抜きタイプの孔には、図１６（ａ）（ｃ）に示すように、ピン挿入側と反対側における孔１４の縁部に繊維がピン挿入側と反対側に押し出された突出部（バリ）１４ｅが形成され、ピン挿入側には突出部１４ｅが形成されないものと、図１６（ｂ）に示すように、ピン挿入側と反対側における孔１４の縁部に繊維がピン挿入側と反対側に押し出された突出部１４ｅが形成されるとともに、ピン挿入側には繊維がピン挿入側に押し出されて形成された突出部１４ｅが形成されるものとが含まれる。さらに、前者のタイプの孔１４には、図１６（ａ）に示すように突出部１４ｅの突出高さ１４ｈがほぼ均一であるものと、図１６（ｃ）に示すように突出部１４ｅが、突出高さ１４ｉが最も高い対向部分と、これと直交する方向に対向する対向部分であって突出高さ１４ｊが最も低い対向部分とを有するものとが含まれる。突出部１４ｅは孔の周方向に連続して筒状になっていることが望ましいが、一部又は全部の孔１４の突出部１４ｅが、孔１４の周方向の一部のみに形成されていてもよい。突出高さ１４ｈ，１４ｉ，１４ｊ（光学顕微鏡を用いて測定される圧力を加えない状態での見かけの高さ）は０．２〜１．２ｍｍ程度であることが好ましい。また、突出部１４ｅにおける、最も高い突出高さ１４ｉは、最も低い突出高さ１４ｊの１．１〜１．４倍程度であることが好ましい。突出部１４ｅの突出高さは孔１４の周方向に変化してもよい。
【００８２】
例えば、図１０（ａ）（ｂ）（ｄ）に示す例のような一方向に長い形状の孔１４をピンの挿入により形成すると、孔１４の縁部の繊維が外側又は垂直方向に退けられ、孔１４の長手方向の対向部分の突出高さｉが、長手方向と直交する方向の対向部分の突出高さｊよりも高い突出部（バリ）１４ｅが形成される。孔１４の突出部１４ｅは、繊維密度がその周囲の部分と比べて低くなっていてもよいが、同程度又は高くなっているのが好ましい。
【００８３】
有孔不織布の構成繊維の繊度、目付け及び厚みは適宜定めることができるが、通常の場合、それぞれ１．８〜６．０ｄｔｅｘ程度、１５〜２５ｇ／ｍ2程度、０．１〜１．３ｍｍ程度であると好ましい。また、有孔不織布のＭＤ方向（幅方向）の剛軟度は、穿孔加工前の無孔の状態で３５〜１００ｍｍ、特に４０〜７０ｍｍであると好ましく、穿孔加工後の状態では１０〜５０ｍｍ、特に１５〜４０ｍｍであると好ましい。
【００８４】
（伸縮領域）
外装体１２Ｆ，１２Ｂには、外側不織布層１２Ｓ及び内側不織布層１２Ｈ間に細長状の弾性部材１９が設けられ、弾性部材１９の伸縮に伴って幅方向ＷＤに弾性伸縮する伸縮領域Ａ２が形成されている。すなわち、この伸縮領域Ａ２は、自然長の状態では外側不織布層１２Ｓ及び内側不織布層１２Ｈが弾性部材の収縮に伴って収縮し、多数の襞を有する状態となる。また、この伸縮領域Ａ２を幅方向ＷＤに伸長すると、外側不織布層１２Ｓ及び内側不織布層１２Ｈが襞なく伸び切る所定の伸長率まで伸長する。弾性部材１９としては、細長状のものであれば、糸状、紐状、帯状を問わず用いることができる。また、弾性部材１９としては合成ゴムを用いても、天然ゴムを用いても良い。
【００８５】
図１１及び図１３に示すように、弾性部材１９は、少なくとも伸縮領域Ａ２における伸縮方向ＥＤの両端部が外側不織布層１２Ｓ及び内側不織布層１２Ｈに固定される。弾性部材１９の固定手段は特に限定されないが、ホットメルト接着剤１９Ｈを用いることが好ましい。一つの好ましい形態は、図１１に示すように、コームガンやシュアラップノズル等の塗布手段により、弾性部材１９における伸縮方向ＥＤの両端部の外周面にホットメルト接着剤１９Ｈを間欠的に塗布した後、この弾性部材１９を外側不織布層１２Ｓ及び内側不織布層１２Ｈ間に挟むものである。この場合、弾性部材１９は、その配置部位で、伸縮領域における伸縮方向ＥＤの両端部のみが外側不織布層１２Ｓ及び内側不織布層１２Ｈにホットメルト接着剤１９Ｈを介して固定される。より簡単な形態は、図示しないが、コームガンやシュアラップノズル等の塗布手段により弾性部材１９の外周面にホットメルト接着剤を連続的に塗布した後、この弾性部材１９を外側不織布層１２Ｓ及び内側不織布層１２Ｈ間に挟むものである。この場合、弾性部材１９は、その配置部位で、伸縮領域における伸縮方向ＥＤの両端部はもちろん、その長手方向全体が外側不織布層１２Ｓ及び内側不織布層１２Ｈに固定される。他の形態としては、図１３に示すように、外側不織布層１２Ｓ及び内側不織布層１２Ｈの少なくとも一方の対向面における、弾性部材１９の伸縮方向ＥＤの両端部の配置位置にホットメルト接着剤１９Ｈを塗布した後、外側不織布層１２Ｓ及び内側不織布層１２Ｈの間に弾性部材を挟むこともできる。この場合、ホットメルト接着剤１９Ｈは、図示例のように直交方向ＸＤに連続していてもよいし、図示しないが直交方向ＸＤに間欠的に配置されていてもよい。さらに、これらの場合、ホットメルト接着剤１９Ｈの連続部分は図示例のように複数本の弾性部材にわたっていてもよい。
【００８６】
図示例のようなパンツタイプ使い捨ておむつの場合、弾性部材１９、すなわち伸縮領域は以下の部位に設けることが望ましい。すなわち、外装体１２Ｆ，１２Ｂのウエスト部Ｗにおける外側不織布層１２Ｓ及び内側不織布層１２Ｈ間には、幅方向ＷＤの全体にわたり連続するように、複数のウエスト部弾性部材１７が前後方向に間隔を空けて取り付けられている。また、ウエスト部弾性部材１７のうち、ウエスト下方部Ｕに隣接する領域に配設される１本又は複数本については、内装体２００と重なっていてもよいし、内装体２００と重なる幅方向中央部を除いてその幅方向両側にそれぞれ設けてもよい。このウエスト部弾性部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度設けるのが好ましく、これによるウエスト部Ｗの幅方向ＷＤの伸長率は１５０〜４００％、特に２２０〜３２０％程度であるのが好ましい。また、ウエスト部Ｗは、その前後方向ＬＤの全てに同じ太さのウエスト部弾性部材１７を用いたり、同じ伸長率にしたりする必要はなく、例えばウエスト部Ｗの上部と下部で弾性部材１７の太さや伸長率が異なるようにしてもよい。
【００８７】
また、外装体１２Ｆ，１２Ｂのウエスト下方部Ｕにおける外側不織布層１２Ｓ及び内側不織布層１２Ｈ間には、細長状弾性部材からなるウエスト下方部弾性部材１５が複数本、前後方向に間隔を空けて取り付けられている。
【００８８】
ウエスト下方部弾性部材１５としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度設けるのが好ましく、これによるウエスト下方部Ｕの幅方向ＷＤの伸長率は２００〜３５０％、特に２４０〜３００％程度であるのが好ましい。
【００８９】
また、後側外装体１２Ｂの臀部カバー部Ｃにおける外側不織布層１２Ｓ及び内側不織布層１２Ｈ間には、細長状弾性部材からなるカバー部弾性部材１６が複数本、前後方向に間隔を空けて取り付けられている。
【００９０】
カバー部弾性部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度設けるのが好ましく、これによるカバー部の幅方向ＷＤの伸長率は１５０〜３００％、特に１８０〜２６０％であるのが好ましい。
【００９１】
前側外装体１２Ｆに鼠径カバー部を設ける場合には同様にカバー部弾性部材を設けることができる。
【００９２】
（非伸縮領域）
図示例のウエスト下方部Ｕや臀部カバー部Ｃのように、吸収体５６を有する前後方向範囲に弾性部材１５，１６を設ける場合には、その一部又は全部において吸収体５６の幅方向ＷＤの収縮を防止するために、吸収体５６と幅方向ＷＤに重なる部分の一部又は全部を含む幅方向中間（好ましくは内外接合部２０１の全体を含む）が非伸縮領域Ａ１とされ、その幅方向両側が伸縮領域Ａ２とされる。ウエスト部Ｗは幅方向ＷＤの全体にわたり伸縮領域Ａ２とされるのが好ましいが、ウエスト下方部Ｕと同様に、幅方向中間に非伸縮領域Ａ１を設けても良い。
【００９３】
伸縮領域Ａ２及び非伸縮領域Ａ１は、内側不織布層１２Ｈと、外側不織布層１２Ｓとの間に、弾性部材１５，１６を供給し、弾性部材１５，１６を伸縮領域Ａ２における少なくとも伸縮方向ＥＤの両端部でホットメルト接着剤を介して固定し、非伸縮領域Ａ１となる領域では固定せず、非伸縮領域Ａ１となる領域において、弾性部材１５，１６を幅方向中間の１か所で加圧及び加熱により切断するか、又は弾性部材１５，１６のほぼ全体を加圧及び加熱により細かく切断し、伸縮領域Ａ２に伸縮性を残しつつ非伸縮領域Ａ１では伸縮性を殺すことにより構築することができる。前者の場合、図４に示すように、非伸縮領域Ａ１には、伸縮領域Ａ２の弾性部材１５，１６から連続する切断残部が不要弾性部材１８として単独で自然長まで収縮した状態で、外側不織布層１２Ｓ及び内側不織布層１２Ｈ間に残ることとなり、後者の場合、図示しないが、伸縮領域Ａ２の弾性部材１５，１６から連続する切断残部、及び両方の伸縮領域Ａ２の弾性部材１５，１６と連続しない弾性部材の切断片が不要弾性部材として単独で自然長まで収縮した状態で、外側不織布層１２Ｓ及び内側不織布層１２Ｈ間に残ることになる。
【００９４】
（外側不織布層及び内側不織布層の接合構造）
伸縮領域Ａ２には、図１１〜図１５に示すように、シート接合部７０が、少なくとも伸縮方向ＥＤに間隔を空けて繰り返し設けられている。したがって、孔１４以外の部分における通気性、柔軟性も確保される。シート接合部７０は、図１７に示す例のように複数の孔１４を通るように直交方向ＸＤに連続（伸縮領域Ａ２の直交方向ＸＤの全体にわたり連続する場合のほか、複数の弾性部材１９と交差する一部の範囲のみ連続する場合も含む）していてもよいし、図１１に示す例のように伸縮方向ＥＤだけでなく直交方向ＸＤにも間隔を空けて形成してもよい（つまり、図示例のように一つの孔１４に対して一つ設けられるだけでもよい）。いずれにせよ、本伸縮構造では、図１２（ｃ）（ｄ）、図１４（ｃ）（ｄ）及び図１５（ｃ）（ｄ）に示すように、弾性部材１９の収縮に伴い、外側不織布層１２Ｓ及び内側不織布層１２Ｈにおけるシート接合部７０間に位置する部分がそれぞれ収縮し、互いに反対向きに膨らんで襞８０が形成される。この襞８０は図１８（ａ）（ｂ）に示すように、直交方向ＸＤに延びるものとなる。
【００９５】
シート接合部７０の寸法等は適宜定めることができるが、通常の場合、シート接合部７０の伸縮方向ＥＤの寸法７０Ｗは０．５〜４ｍｍであり、シート接合部７０の伸縮方向ＥＤの間隔７０ｘは２．５〜１０．０ｍｍであると好ましい。また、図１１や図１３に示す例のように、シート接合部７０が伸縮方向ＥＤだけでなく、直交方向ＸＤにも間隔を空けて設けられている場合、シート接合部７０の直交方向ＸＤの寸法７０Ｌは０．５〜４ｍｍであり、シート接合部７０の直交方向ＸＤの間隔７０ｙは１．０〜５．０ｍｍであると好ましい。
【００９６】
図示例のシート接合部７０は、外側不織布層１２Ｓ及び内側不織布層１２Ｈがホットメルト接着剤１４Ｈ溶着を介して接合された部分であるが、外側不織布層１２Ｓ及び内側不織布層１２Ｈが溶着された部分であってもよい。
【００９７】
前述のとおり、伸縮構造における孔１４の配列は、シート接合部７０における伸縮方向ＥＤの中央部に設けられた孔１４が直交方向ＸＤに間隔を空けて並ぶ第１の孔列９１と、伸縮方向ＥＤにおける隣り合うシート接合部７０の間の中央部に設けられた孔１４が直交方向ＸＤに間隔を空けて並ぶ第２の孔列９２とが、伸縮方向ＥＤに間隔を空けて交互に繰り返すものとなっている。したがって、本伸縮構造では、第１の孔列９１はシート接合部７０に位置し、第２の孔列９２は伸縮方向ＥＤにおける隣り合うシート接合部７０の間の中央部に位置するため、第１の孔列９１の孔１４は襞８０の間の谷底に位置し、第２の孔列９２の孔１４は襞８０の頂部に位置することとなる。よって、自然長の状態等のようにある程度収縮した状態では、図１８（ａ）に示すように襞８０の頂部に第２の孔列９２が露出するとともに、襞８０間の谷底に第１の孔列９１が隠れる。また、装着状態等のようにある程度伸長した状態では、図１８（ｃ）に示すように襞８０の間隔が開いて、第１の孔列９１も露出するようになる。
【００９８】
そして、本伸縮構造では、孔１４の寸法が一律になっておらず、第１の孔列９１における孔１４の伸縮方向寸法９１Ｗが、第２の孔列９２における孔１４の伸縮方向寸法９２Ｗより長いものとなっている。つまり、本伸縮構造は、第１の孔列９１及び第２の孔列９２の両方により通気性を向上させること基本とするものである。ここで、第１の孔列９１は、その大きさが襞８０の頂部の形状にほとんど影響しないのに対し、第２の孔列９２はその大きさが襞８０の頂部の形状に強く影響する。本伸縮構造はこれを巧みに利用するものである。すなわち、第１の孔列９１の孔１４の伸縮方向寸法９１Ｗを第２の孔列９２の孔１４の伸縮方向寸法９２Ｗよりも大きくすることにより、全体としての通気性をより一層向上させつつ、その通気性向上の割には襞８０の外観は損なわれないものとすることができる。
【００９９】
第１の孔列９１における孔１４の伸縮方向寸法９１Ｗ、及び第２の孔列９２における孔１４の伸縮方向寸法９２Ｗは適宜定めることができるが、通常の場合、第１の孔列９１における孔１４の伸縮方向寸法９１Ｗは、第２の孔列９２における孔１４の伸縮方向寸法９２Ｗの１．５〜３．０倍であり、第２の孔列９２は、隣り合うシート接合部７０の間に位置することが好ましい。
【０１００】
孔１４の配列は限定されるものではないが、第１の孔列９１ではシート接合部７０及び孔１４は組み合わされて配置される。そして、シート接合部７０の配置は襞８０の形状に影響する。よって、これら考慮すると、すべての孔１４を合わせたときの孔１４の配列は、直交方向ＸＤに直線的に間隔を空けて並ぶ孔１４の列が伸縮方向ＥＤに間隔を空けて繰り返す行列状であり、第１の孔列９１ではシート接合部７０の伸縮方向ＥＤの中心と、孔１４の伸縮方向ＥＤの中心とが一致していると、襞が直交方向ＸＤに沿って直線的に延び、スッキリとした外観となるため好ましい。ここで、シート接合部７０の伸縮方向ＥＤの寸法７０Ｗは、第１の孔列９１における孔１４の伸縮方向ＥＤの寸法１４Ｗの１．５〜２．０倍であり、第１の孔列９１及び第２の孔列９２における孔１４の直交方向ＸＤの間隔１４ｙが、第１の孔列９１及び第２の孔列９２の伸縮方向ＥＤの間隔１４ｘの０．１〜１．０倍であると、さらに好ましいものとなる。このように孔１４が直交方向ＸＤに狭い間隔で直線的な列をなしており、かつシート接合部７０の両側縁が孔１４の両側近傍に位置していると、孔１４の列の方向に沿ってかつ孔１４を有する部分が谷底となるように折れやすくなるため、有孔不織布における襞が直交方向ＸＤに沿ってより綺麗に形成されるようになる。
【０１０１】
この行列配列における具体的な孔１４の寸法・配置、弾性部材の配置は適宜定めることができるが、以下の範囲内であると特に好ましい。
シート接合部７０の伸縮方向ＥＤの寸法７０Ｗが０．５〜４ｍｍであり、
シート接合部７０の伸縮方向ＥＤの間隔７０ｘが２．５〜１０．０ｍｍであり、
第１の孔列９１における孔１４の伸縮方向ＥＤの寸法９１Ｗ：０．３〜３．０ｍｍ
第２の孔列９２における孔１４の伸縮方向ＥＤの寸法９２Ｗ：０．１〜２．０ｍｍ
第１の孔列９１における孔１４の直交方向ＸＤの寸法９１Ｌ：０．３〜５．０ｍｍ
第２の孔列９２における孔１４の直交方向ＸＤの寸法９２Ｌ：０．１〜５．０ｍｍ
第１の孔列９１及び第２の孔列９２における孔１４の直交方向ＸＤの間隔９１ｙ，９２ｙ：１．０〜５．０ｍｍ
第１の孔列９１及び第２の孔列９２の伸縮方向ＥＤの間隔９１ｘ，９２ｘ：２．５〜１０．０ｍｍ
直交方向ＸＤにおける弾性部材１９の間隔：５〜１０ｍｍ
【０１０２】
シート接合部７０を伸縮方向ＥＤだけでなく、直交方向ＸＤにも間隔を空けて設ける場合、第１の孔列９１に、孔１４と孔１４の縁部を対向する不織布に接着するシート接合部７０との組が、直交方向ＸＤに間隔を空けて並んでいることが好ましい。前述のように、この伸縮構造では、自然長時やある程度収縮した装着状態では、図１２（ｃ）（ｄ）、図１４（ｃ）（ｄ）及び図１５（ｃ）（ｄ）に示すように、弾性部材１９の収縮に伴い、外側不織布層１２Ｓ及び内側不織布層１２Ｈにおけるシート接合部７０間に位置する部分がそれぞれ収縮し、互いに反対向きに膨らんで襞が形成される。この襞は直交方向ＸＤに延びるものとなる。図１２（ｄ）、図１４（ｄ）及び図１５（ｄ）に示すように、シート接合部７０の直交方向ＸＤの間隔部分は、外側不織布層１２Ｓ及び内側不織布層１２Ｈともに襞８０と襞８０との間の谷部となる。ここで、シート接合部７０がホットメルト接着剤１４Ｈにより接着されていると、シート接合部７０とそれ以外の部分における圧縮の程度がほとんど変わらないため、加圧溶着の場合と比べて、シート接合部７０の直交方向ＸＤの間隔部分が反対向きに膨らみにくい。その上、本伸縮構造では、有孔不織布における各孔１４の径は、対向する不織布１５０層側と反対側から対向する不織布層側に向かうにつれて小さくなっている。このように、孔１４の径が、対向する不織布層側と反対側から対向する不織布層側に向かうにつれて小さくなっていると、孔１４及びその近傍では、対向する不織布層と反対側の面が谷折りとなるように折れやすい。ここで、本伸縮構造では孔１４とシート接合部７０が同配置となるため、シート接合部７０の直交方向ＸＤの間隔部分は、その両側に隣接する孔１４及びその近傍が谷折りになりやすい影響を受け、同じ方向に折れやすくなる。つまり、シート接合部７０の直交方向ＸＤの間隔部分は反対向きに膨らみにくくなる。これは、シート接合部が接着不十分等により剥離したとしても同様である。そして、シート接合部７０の直交方向ＸＤの間隔部分は反対向きに膨らみにくくなる結果、襞８０が枝分かれしたり、谷部が部分的に広くなったりしにくくなり、全体として、孔１４の列に沿って延びる整った襞８０が形成されやすくなる。換言すると、ある程度整った襞８０を形成する場合、シート接合部７０の直交方向ＸＤの間隔部分を加圧溶着の場合よりも広くできるようになり、より柔軟な伸縮構造とすることが可能となる。しかも、シート接合部７０がホットメルト接着である場合、シート接合部７０と弾性部材１９とが交差しても問題がないため、製造も容易となる。
【０１０３】
孔１４の縁部を対向する不織布に接着する場合における代表的な接着状態としては、図１６（ａ）に示すように、孔１４と重なる部分の全体、及び孔１４の縁部が、ホットメルト接着剤１４Ｈを介して対向する不織布層１２Ｈに接着されている状態、図１６（ｂ）（ｃ）に示すように、孔１４の中央部を取り囲み、かつ孔１４の縁部を含む環状部分のみが、ホットメルト接着剤１４Ｈを介して対向する不織布層１２Ｈと接着されている状態を例示することができる。後者のように、孔１４の近傍の環状部分のみをシート接合部７０とすることにより、通気性及び柔軟性により優れたものとなる。また、孔１４内にホットメルト接着剤１４Ｈがはみ出ているとしても、孔１４の中央部にはホットメルト接着剤１４Ｈは存在せず、また、孔１４を有する部分は襞８０の間の谷底に位置するため、ホットメルト接着剤１４Ｈは肌に触れにくいものとなる。なお、図１６に示す例は、いずれも対向面に突出部１４ｅが形成されているものである。図１６（ａ）に示す状態は、突出部及びその内側の全体にホットメルト接着剤１４Ｈが存在し、図１６（ｂ）に示す状態は、ほぼ突出部１４ｅしかホットメルト接着剤１４Ｈが存在せず、図１６（ｃ）に示す状態は孔１４と重なる部分の周縁部、及び突出部１４ｅの外側にホットメルト接着剤１４Ｈが存在するものである。
【０１０４】
孔１４及びシート接合部７０は、伸縮領域Ａ２だけに設けることもできるが、図８及び図９に示す例のように、非伸縮領域Ａ１を含むより広範囲の領域にわたり設けることができる。
【０１０５】
＜明細書中の用語の説明＞
明細書中の以下の用語は、明細書中に特に記載が無い限り、以下の意味を有するものである。
【０１０６】
・「前後（縦）方向」とは腹側（前側）と背側（後側）を結ぶ方向を意味し、「幅方向」とは前後方向と直交する方向（左右方向）を意味する。
【０１０７】
・「ＭＤ方向」及び「ＣＤ方向」とは、製造設備における流れ方向（ＭＤ方向）及びこれと直交する横方向（ＣＤ方向）を意味し、いずれか一方が前後方向となるものであり、他方が幅方向となるものである。不織布のＭＤ方向は、不織布の繊維配向の方向である。繊維配向とは、不織布の繊維が沿う方向であり、例えば、ＴＡＰＰＩ標準法Ｔ４８１の零距離引張強さによる繊維配向性試験法に準じた測定方法や、前後方向及び幅方向の引張強度比から繊維配向方向を決定する簡易的測定方法により判別することができる。
【０１０８】
・閉じた平面形状に関して「中心」とは、中心を有しない図形の場合には重心意味する。
【０１０９】
・「表側」とはパンツタイプ使い捨ておむつを着用した際に着用者の肌に近い方を意味し、「裏側」とはパンツタイプ使い捨ておむつを着用した際に着用者の肌から遠い方を意味する。
【０１１０】
・「表面」とは部材の、パンツタイプ使い捨ておむつを着用した際に着用者の肌に近い方の面を意味し、「裏面」とはパンツタイプ使い捨ておむつを着用した際に着用者の肌から遠い方の面を意味する。
【０１１１】
・「面積率」とは単位面積に占める対象部分の割合を意味し、対象領域（例えば不織布）における対象部分（例えば孔）の総和面積を当該対象領域の面積で除して百分率で表すものである。対象部分が間隔を空けて多数設けられる形態では、対象部分が１０個以上含まれるような大きさに対象領域を設定して、面積率を求めることが望ましい。例えば、孔の面積率は、例えばＫＥＹＥＮＣＥ社の商品名ＶＨＸ−１０００を使用し、測定条件を２０倍として、以下の手順で測定することができる。
（１）２０倍のレンズにセットし、ピントを調節する。穴が４×６入るように不織布の位置を調整する。
（２）孔の領域の明るさを指定し、孔の面積を計測する。
（３）「計測・コメント」の「面積計測」の色抽出をクリックする。孔の部分をクリックする。
（４）「一括計測」をクリックし、「計測結果ウィンドを表示」にチェックを入れ、ＣＳＶデータで保存をする。
【０１１２】
・「伸長率」は、自然長を１００％としたときの値を意味する。
【０１１３】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したもの）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【０１１４】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【０１１５】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【０１１６】
・「剛軟度」は、ＪＩＳ  Ｌ  １０９６：２０１０「織物及び編物の生地試験方法」の「8.21.1 A法（45°カンチレバー法）」を意味する。有孔不織布における穿孔加工前（無孔不織布）の値は、穿孔加工前の無孔不織布が入手できない場合には、孔の有無以外（繊維組成、繊度、目付け、厚み等）はすべて同じ不織布を用意して測定を行うものとする。
【０１１７】
・吸水量は、ＪＩＳ  Ｋ７２２３−１９９６「高吸水性樹脂の吸水量試験方法」によって測定する。
【０１１８】
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【０１１９】
・「展開状態」とは、収縮や弛み無く平坦に展開した状態を意味する。
【０１２０】
・各部の寸法は、特に記載が無い限り、自然長状態ではなく展開状態における寸法を意味する。
【０１２１】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【０１２２】
本発明は、パンツタイプ使い捨ておむつやテープタイプ使い捨ておむつの他、パッドタイプ使い捨ておむつ、使い捨て水着、おむつカバー、生理用ナプキン等、使い捨て着用物品全般に利用できるものである。
【符号の説明】
【０１２３】
１１…液不透過性シート、１２…外装体、１２Ａ…サイドシール部、１２Ｂ…後側外装体、１２Ｆ…前側外装体、１２Ｈ…内側不織布層、１２Ｓ…外側不織布層、１４…孔、１４ｅ…突出部、１４Ｈ…ホットメルト接着剤、１４ｒ…角、１８…不要弾性部材、１９…弾性部材、２０…カバー不織布、２００…内装体、２０１…内外接合部、３０…トップシート、４０…中間シート、５０…吸収要素、５６…吸収体、５８…包装シート、６０…起き上がりギャザー、６２…ギャザー不織布、７０…シート接合部、８０…襞、９１…第１の孔列、９２…第２の孔列、Ａ１…非伸縮領域、Ａ２…伸縮領域、Ｃ…臀部カバー部、Ｌ…中間領域、ＬＤ…前後方向、ＬＯ…脚開口、Ｔ…胴周り領域、Ｕ…ウエスト下方部、Ｗ…ウエスト部、ＷＤ…幅方向、ＷＯ…ウエスト開口、ＸＤ…直交方向、ＥＤ…伸縮方向。
【手続補正２】
【補正対象書類名】特許請求の範囲
【補正対象項目名】全文
【補正方法】変更
【補正の内容】
【特許請求の範囲】
【請求項１】
一部又は全部が重なり合う第１不織布層及び第２不織布層と、これら第１不織布層及び第２不織布層の間に伸縮方向と直交する直交方向に間隔を空けて配置された、伸縮方向に沿って延びる複数本の細長状の弾性部材とを有し、
前記弾性部材は、少なくとも伸縮領域における前記伸縮方向の両端部が前記第１不織布層及び第２不織布層に固定されており、
前記伸縮領域は、前記第１不織布層及び第２不織布層が接合されたシート接合部を有しており、
前記第１不織布層及び第２不織布層の少なくとも一方は、厚み方向に貫通する孔が配列された有孔不織布である、使い捨て着用物品の伸縮構造において、
前記シート接合部は、少なくとも前記伸縮方向に間隔を空けて設けられており、
前記伸縮構造における前記孔の配列は、前記シート接合部における前記伸縮方向の中央部に設けられた孔が前記直交方向に間隔を空けて並ぶ第１の孔列と、前記伸縮方向における隣り合う前記シート接合部の間の中央部に設けられた孔が前記直交方向に間隔を空けて並ぶ第２の孔列とが、伸縮方向に間隔を空けて交互に繰り返すものであり、
前記第１の孔列における前記孔の伸縮方向寸法が、前記第２の孔列における前記孔の伸縮方向寸法より長い、
ことを特徴とする使い捨て着用物品の伸縮構造。
【請求項２】
前記第１の孔列における前記孔の伸縮方向寸法は、前記第２の孔列における前記孔の伸縮方向寸法の１．５〜３．０倍であり、
前記第２の孔列は、隣り合う前記シート接合部の間に位置する、
請求項１記載の使い捨て着用物品の伸縮構造。
【請求項３】
前記伸縮構造における前記孔の配列は、前記直交方向に直線的に間隔を空けて並ぶ孔の列が前記伸縮方向に間隔を空けて繰り返す行列状であり、
前記第１の孔列では、前記シート接合部の前記伸縮方向の中心と、前記孔の前記伸縮方向の中心とが一致しており、
前記第１の孔列では、前記シート接合部の前記伸縮方向の寸法は、前記孔の前記伸縮方向の寸法の１．５〜２．０倍であり、
前記第１の孔列及び第２の孔列における前記孔の前記直交方向の間隔が、前記第１の孔列及び第２の孔列の前記伸縮方向の間隔の０．１〜１．０倍である、
請求項１又は２記載の使い捨て着用物品の伸縮構造。
【請求項４】
前記シート接合部の伸縮方向の寸法が０．５〜４ｍｍであり、
前記シート接合部の伸縮方向の間隔が２．５〜１０．０ｍｍであり、
前記第１の孔列及び第２の孔列における前記孔は、前記伸縮方向の寸法が０．３〜３．０ｍｍ、かつ前記直交方向の寸法が０．３〜５．０ｍｍであり、
前記第１の孔列及び前記第２の孔列における前記孔の前記直交方向の間隔が１．０〜５．０ｍｍであり、
前記第１の孔列及び前記第２の孔列の前記伸縮方向の間隔が２．５〜１０．０ｍｍであり、
前記直交方向における前記弾性部材の間隔が５〜１０ｍｍである、
請求項３記載の使い捨て着用物品の伸縮構造。
【請求項５】
前記シート接合部は、前記第１不織布層及び第２不織布層がホットメルト接着剤を介して接合されたものであり、
前記第１の孔列には、孔と孔の縁部を対向する不織布に接着するシート接合部との組が、前記直交方向に間隔を空けて並んでおり、
前記有孔不織布における各孔の径は、対向する不織布層側と反対側から対向する不織布層側に向かうにつれて小さくなっている、
請求項１〜４のいずれか１項に記載の使い捨て着用物品の伸縮構造。
【請求項６】
前記シート接合部では、前記孔を取り囲み、かつ前記孔の縁部を含む環状部分のみが、前記ホットメルト接着剤を介して前記対向する不織布層と接着されている、
請求項５記載の使い捨て着用物品の伸縮構造。
【請求項７】
前記第１不織布層及び第２不織布層のうち、装着者の肌側となる不織布層が無孔不織布であり、反対の不織布層が前記有孔不織布である、
請求項１〜６のいずれか１項に記載の使い捨て着用物品の伸縮構造。
【請求項８】
前記第１不織布層及び第２不織布層の両方が前記有孔不織布であり、一方の有孔不織布の孔と、他方の有孔不織布の孔とが重ならない、
請求項１〜６のいずれか１項に記載の使い捨て着用物品の伸縮構造。
【請求項９】
前身頃から後身頃にわたる一体的な外装体、又は前身頃及び後身頃に別々に設けられた外装体と、この外装体の幅方向中間部に取り付けられた、股間部の前後両側にわたる内装体と、前身頃における外装体の両側部と後身頃における外装体の両側部とがそれぞれ接合されたサイドシール部と、ウエスト開口及び左右一対の脚開口とを備え、
前記前身頃及び後身頃の少なくとも一方における前記外装体は、少なくとも前後方向の一部の範囲における前記サイドシール部間に対応する幅方向範囲にわたり、請求項１〜８のいずれか１項に記載の伸縮構造を、その伸縮領域の伸縮方向が幅方向となるように備えている、
ことを特徴とするパンツタイプ使い捨て着用物品。